(57)【特許請求の範囲】
【請求項１】
ワイヤレス通信の方法であって、
ダウンリンクアクティビティ信号を監視することと、
ダウンリンクアクティビティ信号を検出しなかったことに応答して次のランダムアクセス機会を決定することと、
前記次のランダムアクセス機会の前に成功したクリアチャネルアセスメント（ＣＣＡ）を検出することと、
前記成功したクリアチャネルアセスメントに応答して前記次のランダムアクセス機会においてランダムアクセス信号を送信することと、
を備え、
前記次のランダムアクセス機会がサブフレームｎにおいて発生し、サブフレームｎ−Ｍとｎ−Ｎとの間に前記ダウンリンクアクティビティ信号が検出されず、Ｍが（Ｎ＋１）≦Ｍ≦（リッスンビフォアトーク（ＬＢＴ）フレーム長さ＋Ｎ）の関係を満足し、Ｎが前記次のランダムアクセス機会の前に前記ダウンリンクアクティビティ信号がないと決定するためのサブフレームの最小数であり、
前記成功したＣＣＡが、サブフレームｎに対するランダムアクセス再同期境界の上または前で検出される、方法。
【請求項２】
前記ランダムアクセス再同期境界がサブフレームｎ−１と保証されたチャネル予約信号境界との間に発生し、前記保証されたチャネル予約信号境界とサブフレームｎ−１の終了位置との間が、１つまたは複数のチャネル予約信号の最小持続時間を含む、請求項１に記載の方法。
【請求項３】
サブフレームｎ−２においてダウンリンクアクティビティ信号を検出したことに応答して、前記次のランダムアクセス機会の後の後続のランダムアクセス機会において前記ランダムアクセス信号を送信することをさらに含む、請求項１に記載の方法。
【請求項４】
ダウンリンクアクティビティ信号を前記監視することが、サブフレームｎ−Ｍとｎ−３との間に実行され、Ｍが関係４≦Ｍ≦１０を満足し、前記次のランダムアクセス機会がサブフレームｎにおいて発生し、
前記成功したＣＣＡがサブフレームｎに対するランダムアクセス再同期境界の上または前で検出され、前記ランダムアクセス再同期境界がサブフレームｎ−２と保証されたチャネル予約信号境界との間に発生し、前記保証されたチャネル予約信号境界とサブフレームｎ−１の終了位置との間が、１つまたは複数のチャネル予約信号の最小持続時間を含む、請求項１に記載の方法。
【請求項５】
前記ダウンリンクアクティビティ信号が、
フレームフォーマットインジケータと、
ダウンリンクチャネル予約信号と、
のうちの１つまたは複数を含む、請求項１に記載の方法。
【請求項６】
ワイヤレス通信用に構成された装置であって、
ダウンリンクアクティビティ信号を監視するための手段と、
ダウンリンクアクティビティ信号を検出しなかったことに応答して次のランダムアクセス機会を決定するための手段と、
前記次のランダムアクセス機会の前に成功したクリアチャネルアセスメント（ＣＣＡ）を検出するための手段と、
前記成功したクリアチャネルアセスメントに応答して前記次のランダムアクセス機会においてランダムアクセス信号を送信するための手段と、
を備え、
前記次のランダムアクセス機会がサブフレームｎにおいて発生し、サブフレームｎ−Ｍとｎ−Ｎとの間に前記ダウンリンクアクティビティ信号が検出されず、Ｍが（Ｎ＋１）≦Ｍ≦（リッスンビフォアトーク（ＬＢＴ）フレーム長さ＋Ｎ）の関係を満足し、Ｎが前記次のランダムアクセス機会の前に前記ダウンリンクアクティビティ信号がないと決定するためのサブフレームの最小数であり、
前記成功したＣＣＡが、サブフレームｎに対するランダムアクセス再同期境界の上または前で検出される、装置。
【請求項７】
前記ランダムアクセス再同期境界がサブフレームｎ−１と保証されたチャネル予約信号境界との間に発生し、前記保証されたチャネル予約信号境界とサブフレームｎ−１の終了位置との間が、１つまたは複数のチャネル予約信号の最小持続時間を含む、請求項６に記載の装置。
【請求項８】
サブフレームｎ−２においてダウンリンクアクティビティ信号を検出したことに応答して、前記次のランダムアクセス機会の後の後続のランダムアクセス機会において前記ランダムアクセス信号を送信するための手段をさらに含む、請求項６に記載の装置。
【請求項９】
ダウンリンクアクティビティ信号を監視するための前記手段が、サブフレームｎ−Ｍとｎ−３との間に実行され、Ｍが関係４≦Ｍ≦１０を満足し、前記次のランダムアクセス機会がサブフレームｎにおいて発生し、
前記成功したＣＣＡがサブフレームｎに対するランダムアクセス再同期境界の上または前で検出され、前記ランダムアクセス再同期境界がサブフレームｎ−２と保証されたチャネル予約信号境界との間に発生し、前記保証されたチャネル予約信号境界とサブフレームｎ−１の終了位置との間が、１つまたは複数のチャネル予約信号の最小持続時間を含む、請求項６に記載の装置。
【請求項１０】
前記ダウンリンクアクティビティ信号が、
フレームフォーマットインジケータと、
ダウンリンクチャネル予約信号と、
のうちの１つまたは複数を含む、請求項６に記載の装置。
【請求項１１】
請求項１−５のうちのいずれかに記載の方法をインプリメントするための命令を備えたコンピュータプログラム。
【発明の詳細な説明】
【関連出願の相互参照】
【０００１】
[0001]本出願は、その開示が参照により本明細書に組み込まれている、２０１５年２月２４日に出願された「ＥＮＨＡＮＣＥＤ  ＰＲＡＣＨ  ＦＯＲ  ＳＴＡＮＤＡＬＯＮＥ  ＣＯＮＴＥＮＴＩＯＮ−ＢＡＳＥＤ  ＣＯＭＭＵＮＩＣＡＴＩＯＮＳ  ＩＮＣＬＵＤＩＮＧ  ＵＮＬＩＣＥＮＳＥＤ  ＳＰＥＣＴＲＵＭ」と題する米国仮特許出願第６２／１２０，２０５号、および２０１６年２月２２日に出願された「ＥＮＨＡＮＣＥＤ  ＰＲＡＣＨ  ＦＯＲ  ＳＴＡＮＤＡＬＯＮＥ  ＣＯＮＴＥＮＴＩＯＮ−ＢＡＳＥＤ  ＣＯＭＭＵＮＩＣＡＴＩＯＮＳ  ＩＮＣＬＵＤＩＮＧ  ＵＮＬＩＣＥＮＳＥＤ  ＳＰＥＣＴＲＵＭ」と題する米国特許出願第１５／０５０，４０４号の利益を主張する。
【背景技術】
【０００２】
分野
[0002]本開示の態様は、一般にワイヤレス通信システムに関し、より詳細には、ライセンスされていないスペクトルを含むスタンドアロン競合ベースの通信のための拡張物理ランダムアクセスチャネル（ｅＰＲＡＣＨ）に関する。
【０００３】
背景技術
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することにより、複数のユーザとの通信をサポートすることが可能な多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、シングルキャリア周波数分割多元接続（ＳＣ−ＦＤＭＡ）システム、および直交周波数分割多元接続（ＯＦＤＭＡ）システムを含む。
【０００４】
[0004]例として、ワイヤレス多元接続通信システムは、場合によってはユーザ機器（ＵＥ）として知られる、複数の通信デバイスのための通信を各々が同時にサポートする、いくつかの基地局を含み得る。基地局は、（たとえば、基地局からＵＥへの送信のために）ダウンリンクチャネル上で、および（たとえば、ＵＥから基地局への送信のために）アップリンクチャネル上で、ＵＥと通信し得る。
【０００５】
[0005]いくつかの通信モードは、セルラーネットワークの競合ベースの共有無線周波数スペクトル帯域上での、または異なる無線周波数スペクトル帯域（たとえば、ライセンスされている無線周波数スペクトル帯域またはライセンスされていない無線周波数スペクトル帯域）上での基地局とＵＥとの間の通信を可能にし得る。ライセンスされている無線周波数スペクトル帯域を使用するセルラーネットワークにおいて増加しているデータトラフィックとともに、ライセンスされていない無線周波数スペクトル帯域への少なくとも一部のデータトラフィックのオフローディング（offloading）が、拡張されたデータ伝送容量のための機会（opportunities）をセルラー事業者（operator）に提供し得る。ライセンスされていない無線周波数スペクトル帯域はまた、ライセンスされている無線周波数スペクトル帯域へのアクセスが利用可能でないエリアにおいてサービスを提供し得る。
【０００６】
[0006]競合ベースの共有無線周波数スペクトル帯域へのアクセスを獲得し（gaining）、その帯域上で通信するより前に、基地局またはＵＥは、共有無線周波数スペクトル帯域へのアクセスを求めて競合するために、リッスンビフォアトーク（ＬＢＴ：listen before talk）手順を実行し得る。ＬＢＴ手順は、競合ベースの共有無線周波数スペクトル帯域のチャネルが利用可能であるかどうかを決定するために、クリアチャネルアセスメント（ＣＣＡ：clear channel assessment）手順を実行することを含み得る。競合ベースの共有無線周波数スペクトル帯域のチャネルが利用可能であると決定されたとき、チャネルを予約するためにチャネル使用ビーコン信号（ＣＵＢＳ：channel usage beacon signal）など、チャネル予約信号が送信され得る。
【発明の概要】
【０００７】
[0007]本開示の様々な態様は、データが競合ベースの送信帯域上の通信のために利用可能であると決定することと、競合ベースの送信帯域上で成功した（successful）拡張クリアチャネルアセスメント（ＥＣＣＡ）を検出することと、成功したＥＣＣＡの検出時に再同期境界（a resynchronization boundary）が到達されたかどうかを決定することとを含むワイヤレス通信の方法を対象とし、ここにおいて、再同期境界は、基地局によってサービスされる（served）１つまたは複数のユーザ機器（ＵＥ）に対するアップリンク送信を同期させる。成功したＥＣＣＡの検出時に再同期境界が到達されていないと決定したことに応答して、方法は、再同期境界が到達されていないと決定したことに応答して再同期境界までアイドル状態にとどまることと、再同期境界が到達されたときにクリアチャネルアセスメント（ＣＣＡ）検査を実行することと、ＣＣＡ検査が成功したと検出されたことに応答して、チャネル予約信号を送信することとをさらに含む。
【０００８】
[0008]本開示の追加の態様では、ワイヤレス通信の方法は、ダウンリンクアクティビティ信号を監視することと、ダウンリンクアクティビティ信号を検出しなかったことに応答して次のランダムアクセス機会（occasion）を決定することと、次のランダムアクセス機会の前に成功したＣＣＡを検出することと、成功したＣＣＡに応答して次のランダムアクセス機会においてランダムアクセス信号を送信することとを含む。
【０００９】
[0009]本開示の追加の態様では、ワイヤレス通信の方法は、リッスンビフォアトーク（ＬＢＴ）フレームを監視することと、ＬＢＴフレームを検出しなかったことに応答して次のアップリンクＣＣＡ免除送信（ＣＥＴ：CCA-exempt transmission）を決定することと、次のアップリンクＣＥＴの間にランダムアクセス信号を送信することとを含む。
【００１０】
[0010]本開示の追加の態様では、ワイヤレス通信の方法は、ＬＢＴフレームを監視することと、ＬＢＴフレームを検出したことに応答してＬＢＴフレーム内の次のスケジュールされたランダムアクセス機会かまたは次のアップリンクＣＥＴのいずれかのより早い機会を決定することとを含む。方法は、より早い機会が次のスケジュールされたランダムアクセス機会であることに応答して、成功したＣＣＡ検査の後でランダムアクセス信号を送信することと、より早い機会が次のアップリンクＣＥＴであることに応答してランダムアクセス信号を送信することとをさらに含む。
【００１１】
[0011]本開示の追加の態様では、ワイヤレス通信の方法は、ランダムアクセス手順をトリガするＵＥステータスを決定することと、所定の数の固定ペイロードサイズのうちの１つの固定ペイロードサイズを使用して第１のランダムアクセスメッセージを生成することと、ここにおいて、固定ペイロードサイズの所定の数は、利用可能なペイロードサイズの総数より少なく、第１のランダムアクセスメッセージを基地局に送信することとを含む。
【００１２】
[0012]本開示の追加の態様では、ワイヤレス通信の方法は、次のスケジュールされたランダムアクセス機会を決定することと、所定の数の固定ペイロードサイズのうちの第１の固定ペイロードサイズを使用して次のスケジュールされたランダムアクセス機会の間に受信された信号をブラインドで復号することと、ここにおいて、固定ペイロードサイズの所定の数は、利用可能なペイロードサイズの総数より少なく、第１の固定ペイロードサイズを使用して受信された信号からのランダムアクセス信号を適切に復号することに失敗したことに応答して、ランダムアクセス信号が復号されるまで、所定の数の固定ペイロードサイズの残りの固定ペイロードサイズのうちの別の１つを使用して受信された信号をブラインドで復号することとを含む。
【００１３】
[0013]本開示の追加の態様では、ワイヤレス通信の方法は、複数のＵＥからランダムアクセス信号を受信するために使用される時間周波数リソースに基づいてランダムアクセス一時識別子を決定することと、複数のＵＥの各々に対するアップリンク許可を含むランダムアクセス応答を生成することと、ランダムアクセス一時識別子に少なくとも部分的に基づいてアドレス指定された（addressed）ランダムアクセス応答を送信することとを含み、ここにおいて、ランダムアクセス応答は、複数のＵＥの各々に対するアップリンク許可を含む単一のダウンリンク共有チャネルかまたは複数のダウンリンク共有チャネルのいずれかの中で送信され、複数のダウンリンク共有チャネルの各々は複数のＵＥのうちの関連する各ＵＥに対するアップリンク許可を含む。
【００１４】
[0014]本開示の追加の態様では、ワイヤレス通信の方法は、ランダムアクセス機会の間にランダムアクセス信号を送る前に成功したＣＣＡ検査を検出することと、ここにおいて、ランダムアクセス機会は、検出されたＬＢＴフレームの第１のアップリンクサブフレーム内のスケジュールされたランダムアクセス機会かまたはＬＢＴフレームを検出しなかったことに応答して選択されたランダムアクセス機会のいずれかであり、成功したＣＣＡに応答して広帯域チャネル予約信号を生成することとを含み、ここにおいて、広帯域チャネル予約信号は、ランダムアクセス信号の推定された持続時間を１つのアップリンクサブフレームとして識別する持続時間識別子を含む。
【００１５】
[0015]本開示の追加の態様では、ワイヤレス通信用に構成された装置は、データが競合ベースの送信帯域上の通信のために利用可能であると決定するための手段と、競合ベースの送信帯域上で成功したＥＣＣＡを検出するための手段と、成功したＥＣＣＡの検出時に再同期境界が到達されたかどうかを決定するための手段とを含み、ここにおいて、再同期境界は、基地局によってサービスされる１つまたは複数のＵＥに対するアップリンク送信を同期させる。成功したＥＣＣＡの検出時に再同期境界が到達されていないと決定したことに応答して、装置は、再同期境界が到達されていないと決定したことに応答して再同期境界までアイドル状態にとどまるための手段と、再同期境界が到達されたときにＣＣＡ検査を実行するための手段と、ＣＣＡ検査が成功したと検出されたことに応答してチャネル予約信号を送信するための手段とをさらに含む。
【００１６】
[0016]本開示の追加の態様では、ワイヤレス通信用に構成された装置は、ダウンリンクアクティビティ信号を監視するための手段と、ダウンリンクアクティビティ信号を検出しなかったことに応答して次のランダムアクセス機会を決定するための手段と、次のランダムアクセス機会の前に成功したＣＣＡを検出するための手段と、成功したＣＣＡに応答して次のランダムアクセス機会においてランダムアクセス信号を送信するための手段とを含む。
【００１７】
[0017]本開示の追加の態様では、ワイヤレス通信用に構成された装置は、ＬＢＴフレームを監視するための手段と、ＬＢＴフレームを検出しなかったことに応答して次のアップリンクＣＥＴを決定するための手段と、次のアップリンクＣＥＴの間にランダムアクセス信号を送信するための手段とを含む。
【００１８】
[0018]本開示の追加の態様では、ワイヤレス通信用に構成された装置は、ＬＢＴフレームを監視するための手段と、ＬＢＴフレームを検出したことに応答してＬＢＴフレーム内の次のスケジュールされたランダムアクセス機会かまたは次のアップリンクＣＥＴのいずれかのより早い機会を決定するための手段とを含む。装置は、より早い機会が次のスケジュールされたランダムアクセス機会であることに応答して、成功したＣＣＡ検査の後でランダムアクセス信号を送信するための手段と、より早い機会が次のアップリンクＣＥＴであることに応答してランダムアクセス信号を送信するための手段とをさらに含む。
【００１９】
[0019]本開示の追加の態様では、ワイヤレス通信用に構成された装置は、ランダムアクセス手順をトリガするＵＥステータスを決定するための手段と、所定の数の固定ペイロードサイズのうちの１つの固定ペイロードサイズを使用して第１のランダムアクセスメッセージを生成するための手段と、ここにおいて、固定ペイロードサイズの所定の数は、利用可能なペイロードサイズの総数より少なく、第１のランダムアクセスメッセージを基地局に送信するための手段とを含む。
【００２０】
[0020]本開示の追加の態様では、ワイヤレス通信用に構成された装置は、次のスケジュールされたランダムアクセス機会を決定するための手段と、所定の数の固定ペイロードサイズのうちの第１の固定ペイロードサイズを使用して次のスケジュールされたランダムアクセス機会の間に受信された信号をブラインドで復号するための手段と、ここにおいて、固定ペイロードサイズの所定の数は、利用可能なペイロードサイズの総数より少なく、第１の固定ペイロードサイズを使用して受信された信号からのランダムアクセス信号を適切に復号することに失敗したことに応答して、ランダムアクセス信号が復号されるまで、所定の数の固定ペイロードサイズの残りの固定ペイロードサイズのうちの別の１つを使用して受信された信号をブラインドで復号するための手段とを含む。
【００２１】
[0021]本開示の追加の態様では、ワイヤレス通信用に構成された装置は、複数のＵＥからランダムアクセス信号を受信するために使用される時間周波数リソースに基づいてランダムアクセス一時識別子を決定するための手段と、複数のＵＥの各々に対するアップリンク許可を含むランダムアクセス応答を生成するための手段と、ランダムアクセス一時識別子に少なくとも部分的に基づいてアドレス指定されたランダムアクセス応答を送信するための手段とを含み、ここにおいて、ランダムアクセス応答は、複数のＵＥの各々に対するアップリンク許可を含む単一のダウンリンク共有チャネルかまたは複数のダウンリンク共有チャネルのいずれかの中で送信され、複数のダウンリンク共有チャネルの各々は複数のＵＥのうちの関連する各ＵＥに対するアップリンク許可を含む。
【００２２】
[0022]本開示の追加の態様では、ワイヤレス通信用に構成された装置は、ランダムアクセス機会の間にランダムアクセス信号を送る前に成功したＣＣＡ検査を検出するための手段と、ここにおいて、ランダムアクセス機会は、検出されたＬＢＴフレームの第１のアップリンクサブフレーム内のスケジュールされたランダムアクセス機会かまたはＬＢＴフレームを検出しなかったことに応答して選択されたランダムアクセス機会のいずれかであり、成功したＣＣＡに応答して広帯域チャネル予約信号を生成するための手段とを含み、ここにおいて、広帯域チャネル予約信号は、ランダムアクセス信号の推定された持続時間を１つのアップリンクサブフレームとして識別する持続時間識別子を含む。
【００２３】
[0023]本開示の追加の態様では、プログラムコードを記録したコンピュータ可読媒体。このプログラムコードは、データが競合ベースの送信帯域上の通信のために利用可能であると決定するためのコードと、競合ベースの送信帯域上で成功したＥＣＣＡを検出するためのコードと、成功したＥＣＣＡの検出時に再同期境界が到達されたかどうかを決定するためのコードとを含み、ここにおいて、再同期境界は、基地局によってサービスされる１つまたは複数のＵＥに対するアップリンク送信を同期させる。成功したＥＣＣＡの検出時に再同期境界が到達されていないと決定したことに応答して、プログラムコードは、再同期境界が到達されていないと決定したことに応答して再同期境界までアイドル状態にとどまるためのコードと、再同期境界が到達されたときにＣＣＡ検査を実行するためのコードと、ＣＣＡ検査が成功したと検出されたことに応答してチャネル予約信号を送信するためのコードとをさらに含む。
【００２４】
[0024]本開示の追加の態様では、プログラムコードを記録したコンピュータ可読媒体。このプログラムコードは、ダウンリンクアクティビティ信号を監視するためのコードと、ダウンリンクアクティビティ信号を検出しなかったことに応答して次のランダムアクセス機会を決定するためのコードと、次のランダムアクセス機会の前に成功したＣＣＡを検出するためのコードと、成功したＣＣＡに応答して次のランダムアクセス機会においてランダムアクセス信号を送信するためのコードとを含む。
【００２５】
[0025]本開示の追加の態様では、プログラムコードを記録したコンピュータ可読媒体。このプログラムコードは、ＬＢＴフレームを監視するためのコードと、ＬＢＴフレームを検出しなかったことに応答して次のアップリンクＣＥＴを決定するためのコードと、次のアップリンクＣＥＴの間にランダムアクセス信号を送信するためのコードとを含む。
【００２６】
[0026]本開示の追加の態様では、プログラムコードを記録したコンピュータ可読媒体。このプログラムコードは、ＬＢＴフレームを監視するためのコードと、ＬＢＴフレームを検出したことに応答してＬＢＴフレーム内の次のスケジュールされたランダムアクセス機会かまたは次のアップリンクＣＥＴのいずれかのより早い機会を決定するためのコードとを含む。プログラムコードは、より早い機会が次のスケジュールされたランダムアクセス機会であることに応答して成功したＣＣＡ検査の後でランダムアクセス信号を送信するためのコードと、より早い機会が次のアップリンクＣＥＴであることに応答してランダムアクセス信号を送信するためのコードとをさらに含む。
【００２７】
[0027]本開示の追加の態様では、プログラムコードを記録したコンピュータ可読媒体。このプログラムコードは、ランダムアクセス手順をトリガするＵＥステータスを決定するためのコードと、所定の数の固定ペイロードサイズのうちの１つの固定ペイロードサイズを使用して第１のランダムアクセスメッセージを生成するためのコードと、ここにおいて、固定ペイロードサイズの所定の数は、利用可能なペイロードサイズの総数より少なく、第１のランダムアクセスメッセージを基地局に送信するためのコードとを含む。
【００２８】
[0028]本開示の追加の態様では、プログラムコードを記録したコンピュータ可読媒体。このプログラムコードは、次のスケジュールされたランダムアクセス機会を決定するためのコードと、所定の数の固定ペイロードサイズのうちの第１の固定ペイロードサイズを使用して次のスケジュールされたランダムアクセス機会の間に受信された信号をブラインドで復号するためのコードと、ここにおいて、固定ペイロードサイズの所定の数は、利用可能なペイロードサイズの総数より少なく、第１の固定ペイロードサイズを使用して受信された信号からのランダムアクセス信号を適切に復号することに失敗したことに応答してランダムアクセス信号が復号されるまで所定の数の固定ペイロードサイズの残りの固定ペイロードサイズのうちの別の１つを使用して受信された信号をブラインドで復号するためのコードとを含む。
【００２９】
[0029]本開示の追加の態様では、プログラムコードを記録したコンピュータ可読媒体。このプログラムコードは、複数のＵＥからランダムアクセス信号を受信するために使用される時間周波数リソースに基づいてランダムアクセス一時識別子を決定するためのコードと、複数のＵＥの各々に対するアップリンク許可を含むランダムアクセス応答を生成するためのコードと、ランダムアクセス一時識別子に少なくとも部分的に基づいてアドレス指定されたランダムアクセス応答を送信するためのコードとを含み、ここにおいて、ランダムアクセス応答は、複数のＵＥの各々に対するアップリンク許可を含む単一のダウンリンク共有チャネルかまたは複数のダウンリンク共有チャネルのいずれかの中で送信され、複数のダウンリンク共有チャネルの各々は複数のＵＥのうちの関連する各ＵＥに対するアップリンク許可を含む。
【００３０】
[0030]本開示の追加の態様では、プログラムコードを記録したコンピュータ可読媒体。このプログラムコードは、ランダムアクセス機会の間にランダムアクセス信号を送る前に成功したＣＣＡ検査を検出するためのコードと、ここにおいて、ランダムアクセス機会は、検出されたＬＢＴフレームの第１のアップリンクサブフレーム内のスケジュールされたランダムアクセス機会かまたはＬＢＴフレームを検出しなかったことに応答して選択されたランダムアクセス機会のいずれかであり、成功したＣＣＡに応答して広帯域チャネル予約信号を生成するためのコードとを含み、ここにおいて、広帯域チャネル予約信号は、ランダムアクセス信号の推定された持続時間を１つのアップリンクサブフレームとして識別する持続時間識別子を含む。
【００３１】
[0031]本開示の追加の態様では、装置は、少なくとも１つのプロセッサと、プロセッサに結合されたメモリとを含む。このプロセッサは、データが競合ベースの送信帯域上で通信のために利用可能であると決定することと、競合ベースの送信帯域上で成功したＥＣＣＡを検出することと、成功したＥＣＣＡの検出時に再同期境界が到達されたかどうかを決定することとを行うように構成され、ここにおいて、再同期境界は、基地局によってサービスされる１つまたは複数のＵＥに対するアップリンク送信を同期させる。成功したＥＣＣＡの検出時に再同期境界が到達されていないと決定したことに応答して、プログラムは、再同期境界が到達されていないと決定したことに応答して再同期境界までアイドル状態にとどまることと、再同期境界が到達されたときにＣＣＡ検査を実行することと、ＣＣＡ検査が成功したと検出されたことに応答してチャネル予約信号を送信することとをさらに含む。
【００３２】
[0032]本開示の追加の態様では、装置は、少なくとも１つのプロセッサと、プロセッサに結合されたメモリとを含む。プロセッサは、ダウンリンクアクティビティ信号を監視することと、ダウンリンクアクティビティ信号を検出しなかったことに応答して次のランダムアクセス機会を決定することと、次のランダムアクセス機会の前に成功したＣＣＡを検出することと、成功したＣＣＡに応答して次のランダムアクセス機会においてランダムアクセス信号を送信することとを行うように構成される。
【００３３】
[0033]本開示の追加の態様では、装置は、少なくとも１つのプロセッサと、プロセッサに結合されたメモリとを含む。プロセッサは、ＬＢＴフレームを監視することと、ＬＢＴフレームを検出しなかったことに応答して次のアップリンクＣＥＴを決定することと、次のアップリンクＣＥＴの間にランダムアクセス信号を送信することとを行うように構成される。
【００３４】
[0034]本開示の追加の態様では、装置は、少なくとも１つのプロセッサと、プロセッサに結合されたメモリとを含む。プロセッサは、ＬＢＴフレームを監視することと、ＬＢＴフレームを検出したことに応答してＬＢＴフレーム内の次のスケジュールされたランダムアクセス機会かまたは次のアップリンクＣＥＴのいずれかのより早い機会を決定することとを行うように構成される。プログラムは、より早い機会が次のスケジュールされたランダムアクセス機会であることに応答して成功したＣＣＡ検査の後でランダムアクセス信号を送信することと、より早い機会が次のアップリンクＣＥＴであることに応答してランダムアクセス信号を送信することとをさらに含む。
【００３５】
[0035]本開示の追加の態様では、装置は、少なくとも１つのプロセッサと、プロセッサに結合されたメモリとを含む。プロセッサは、ランダムアクセス手順をトリガするＵＥステータスを決定することと、所定の数の固定ペイロードサイズのうちの１つの固定ペイロードサイズを使用して第１のランダムアクセスメッセージを生成することと、ここにおいて、固定ペイロードサイズの所定の数は、利用可能なペイロードサイズの総数より少なく、第１のランダムアクセスメッセージを基地局に送信することとを行うように構成される。
【００３６】
[0036]本開示の追加の態様では、装置は、少なくとも１つのプロセッサと、プロセッサに結合されたメモリとを含む。プロセッサは、次のスケジュールされたランダムアクセス機会を決定することと、所定の数の固定ペイロードサイズのうちの第１の固定ペイロードサイズを使用して次のスケジュールされたランダムアクセス機会の間に受信された信号をブラインドで復号することと、ここにおいて、固定ペイロードサイズの所定の数は、利用可能なペイロードサイズの総数より少なく、第１の固定ペイロードサイズを使用して受信された信号からのランダムアクセス信号を適切に復号することに失敗したことに応答してランダムアクセス信号が復号されるまで所定の数の固定ペイロードサイズの残りの固定ペイロードサイズのうちの別の１つを使用して受信された信号をブラインドで復号することとを行うように構成される。
【００３７】
[0037]本開示の追加の態様では、装置は、少なくとも１つのプロセッサと、プロセッサに結合されたメモリとを含む。プロセッサは、複数のＵＥからランダムアクセス信号を受信するために使用される時間周波数リソースに基づいてランダムアクセス一時識別子を決定することと、複数のＵＥの各々に対するアップリンク許可を含むランダムアクセス応答を生成することと、ランダムアクセス一時識別子に少なくとも部分的に基づいてアドレス指定されたランダムアクセス応答を送信することとを行うように構成され、ここにおいて、ランダムアクセス応答は、複数のＵＥの各々に対するアップリンク許可を含む単一のダウンリンク共有チャネルかまたは複数のダウンリンク共有チャネルのいずれかの中で送信され、複数のダウンリンク共有チャネルの各々は複数のＵＥのうちの関連する各ＵＥに対するアップリンク許可を含む。
【００３８】
[0038]本開示の追加の態様では、装置は、少なくとも１つのプロセッサと、プロセッサに結合されたメモリとを含む。プロセッサは、ランダムアクセス機会の間にランダムアクセス信号を送る前に成功したＣＣＡ検査を検出することと、ここにおいて、ランダムアクセス機会は、検出されたＬＢＴフレームの第１のアップリンクサブフレーム内のスケジュールされたランダムアクセス機会かまたはＬＢＴフレームを検出しなかったことに応答して選択されたランダムアクセス機会のいずれかであり、成功したＣＣＡに応答して広帯域チャネル予約信号を生成することとを行うように構成され、ここにおいて、広帯域チャネル予約信号は、ランダムアクセス信号の推定された持続時間を１つのアップリンクサブフレームとして識別する持続時間識別子を含む。
【００３９】
[0039]上記は、以下の詳細な説明がより良く理解され得るように、本開示による例の特徴および技術的利点についてやや広く概説した。以下で、追加の特徴および利点が説明される。開示される概念および具体例は、本開示の同じ目的を実行するための他の構造を変更または設計するための基礎として容易に利用され得る。そのような等価な構成は、添付の特許請求の範囲から逸脱しない。本明細書で開示される概念の特性、それらの編成と動作方法の両方は、関連する利点とともに、添付の図に関連して以下の説明を検討するとより良く理解されよう。図の各々は、例示および説明のために提供されるものであり、特許請求の範囲の限定の定義として提供されるものではない。
【００４０】
[0040]以下の図面を参照することにより、本開示の本質および利点のより一層の理解が実現され得る。添付の図では、同様の構成要素または特徴は、同じ参照ラベルを有する場合がある。さらに、同じタイプの様々な構成要素は、参照ラベルの後に、ダッシュと、同様の構成要素の間を区別する第２のラベルとを続けることによって区別される場合がある。第１の参照ラベルだけが本明細書において使用される場合、その説明は、第２の参照ラベルにかかわらず、同じ第１の参照ラベルを有する同様の構成要素のうちのいずれにも適用可能である。
【図面の簡単な説明】
【００４１】
【図１】[0041]様々な実施形態による、ワイヤレス通信システムの一例を示す図。
【図２Ａ】[0042]様々な実施形態による、ライセンスされていないスペクトルの中でＬＴＥ（登録商標）を使用するための展開シナリオの例を示す図。
【図２Ｂ】[0043]様々な実施形態による、ライセンスされていないスペクトルの中でＬＴＥを使用するための展開シナリオの別の例を示す図。
【図３】[0044]様々な実施形態による、ライセンスされているおよびライセンスされていないスペクトル中でＬＴＥをコンカレントに（concurrently）使用するときのキャリアアグリゲーションの一例を示す図。
【図４】[0045]本開示の一態様に従って構成される、基地局／ｅＮＢおよびＵＥの設計を概念的に示すブロック図。
【図５】[0046]本開示の様々な態様による、競合ベースの共有無線周波数スペクトル帯域にアクセスするために競合するとき、送信装置によって実行される拡張ＣＣＡ（ＥＣＣＡ）手順の一例を示す図。
【図６】[0047]図１の複数の基地局／ｅＮＢのうちの１つであり得る基地局／ｅＮＢおよび複数のＵＥのうちの１つであり得るＵＥの設計のブロック図。
【図７】[0048]本開示の一態様を実装するために実行される例示的なブロックを示すブロック図。
【図８】
【図９】[0049]本開示の一態様を実装するために実行される例示的なブロックを示すブロック図。
【図１０】[0050]本開示の一態様に従って構成されたＵＥを伴う通信ストリームを示すブロック図。
【図１１】[0051]本開示の一態様に従って構成されたＵＥを伴う通信ストリームを示すブロック図。
【図１２】[0052]本開示の態様を実装するために実行される例示的なブロックを示すブロック図。
【図１３】本開示の態様を実装するために実行される例示的なブロックを示すブロック図。
【図１４】本開示の態様を実装するために実行される例示的なブロックを示すブロック図。
【図１５】本開示の態様を実装するために実行される例示的なブロックを示すブロック図。
【図１６】本開示の態様を実装するために実行される例示的なブロックを示すブロック図。
【図１７】本開示の態様を実装するために実行される例示的なブロックを示すブロック図。
【詳細な説明】
【００４２】
[0053]添付の図面に関して以下に記載する詳細な説明は、様々な構成の説明として意図されたものであり、本開示の範囲を限定することを意図されたものではない。むしろ、詳細な説明は、本発明の主題の完全な理解を与えるための具体的な詳細を含む。これらの具体的な詳細は、あらゆる場合において必要とされるとは限らないこと、および場合によっては、よく知られている構造および構成要素は、提示を明快にするためにブロック図の形式で示されることが、当業者には明らかであろう。
【００４３】
[0054]ライセンスされていない無線周波数スペクトル帯域がワイヤレス通信システム上での競合ベースの通信の少なくとも一部分のために使用される技法が説明される。いくつかの例では、競合ベースの共有無線周波数スペクトル帯域は、ロングタームエボリューション（ＬＴＥ）通信またはＬＴＥアドバンスト（ＬＴＥ−Ａ）通信のために使用され得る。競合ベースの無線周波数スペクトル帯域は、非競合のライセンスされている無線周波数スペクトル帯域と組み合わせて、またはそれとは無関係に使用され得る。いくつかの例では、競合ベースの無線周波数スペクトル帯域は、無線周波数スペクトル帯域が、少なくとも部分的に、ＷｉＦｉ（登録商標）使用などのライセンスされていない使用のために利用可能であるので、デバイスもまたアクセスを求めて競合する必要があることがある無線周波数スペクトル帯域であり得る。
【００４４】
[0055]ライセンスされている無線周波数スペクトル帯域を使用するセルラーネットワークにおけるデータトラフィックの増加とともに、ライセンスされていない帯域内などの競合ベースの共有無線周波数スペクトル帯域への少なくとも一部のデータトラフィックのオフローディングは、セルラー事業者（たとえば、公衆陸上移動体ネットワーク（ＰＬＭＮ）またはＬＴＥ／ＬＴＥ−Ａネットワークなどのセルラーネットワークを定義する基地局の協調させられたセットの事業者）に増強されたデータ送信容量のための機会を与え得る。上述のように、ライセンスされていないスペクトルなどの競合ベースの共有無線周波数スペクトル帯域上で通信する前に、デバイスは、共有無線周波数スペクトル帯域へのアクセスを獲得するためにＬＢＴ手順を実行し得る。そのようなＬＢＴ手順は、ライセンスされていない無線周波数スペクトル帯域のチャネルが利用可能であるかどうかを決定するために、ＣＣＡ手順（または拡張ＣＣＡ手順）を実行することを含み得る。競合ベースの無線周波数スペクトル帯域のチャネルが利用可能であると決定されたとき、チャネル予約信号（たとえば、ＣＵＢＳ）が、チャネルを予約するために送信され得る。チャネルが利用可能ではないと決定されたとき、ＣＣＡ手順（または、拡張ＣＣＡ手順）が、もっと後の時間においてチャネルに対して再び実行され得る。
【００４５】
[0056]基地局および／またはＵＥが競合ベースの共有無線周波数スペクトル帯域上で送信可能な複数のアンテナポートを含むとき、異なるアンテナポートからの送信は、送信された信号間の相関によって互いに干渉する場合がある。競合ベースの共有無線周波数スペクトル帯域のチャネルを予約するために使用されるチャネル予約信号の場合、送信された信号間の相関による干渉の低減は、チャネルを予約するために良好な検出能力を与えるため、ならびにチャネルを不用意に予約することになる誤検出を防止するため、および他のデバイスがそのチャネルを使用するのを防止するために重要であり得る。異なるアンテナからの信号の相互相関または単一のアンテナからの信号の自己相関によるそのような干渉を低減するために、基地局またはＵＥは、チャネル予約信号のシーケンスを送信するアンテナポートと関連付けられたアンテナポート識別子に少なくとも部分的に基づいてシーケンスを生成し得る。このようにして、チャネル予約信号の相関が低減され、それによって信号送信の検出能力を改善し、競合ベースの共有無線周波数スペクトル帯域のチャネルのより効果的でより正確な予約をもたらすことができる。
【００４６】
[0057]言い換えれば、ライセンスされていない無線周波数スペクトル帯域のチャネルを予約するために使用されるチャネル予約信号の場合、チャネル予約信号は、チャネル予約が、共有無線周波数スペクトル帯域へのアクセスを試行している他のデバイスによって容易に検出され得るように、誤認警報（false alarms）を低減するために良好な検出性を伴って構成されるべきである。したがって、チャネル予約信号シーケンスは良好な自己相関特性と、近隣基地局からのシーケンスとの良好な相互相関特性とを有するべきである。たとえば、１次同期信号（ＰＳＳ）、２次同期信号（ＳＳＳ）および／またはチャネル状態情報基準信号（ＣＳＩ−ＲＳ）は、良好な自己相関特性または競合ベースの共有無線周波数スペクトル帯域内の異なる基地局間の良好な相互相関特性を有さない場合がある。したがって、チャネル予約信号シーケンスは、良好な自己相関および相互相関の特性を与えるために、アンテナポート識別子に少なくとも部分的に基づいて構成されるべきである。
【００４７】
[0058]以下の説明は、例を与えるものであり、特許請求の範囲に記載される範囲、適用性、または例を限定するものではない。本開示の範囲から逸脱することなく、説明される要素の機能および構成において変更が行われ得る。様々な例は、適宜に、様々な手順または構成要素を、省略、置換、または追加し得る。たとえば、説明される方法は、説明される順序とは異なる順序で実行され得、様々なステップが追加され、省略され、または組み合わされ得る。また、いくつかの例に関して説明される特徴は、他の例では組み合わされ得る。
【００４８】
[0059]図１は、本開示の様々な態様による、例示的なワイヤレス通信システム１００の図である。ワイヤレス通信システム１００は、基地局１０５と、ＵＥ１１５と、コアネットワーク１３０とを含み得る。コアネットワーク１３０は、ユーザ認証、アクセス許可、トラッキング、インターネットプロトコル（ＩＰ）接続性、および他のアクセス機能、ルーティング機能、またはモビリティ機能を提供し得る。基地局１０５は、バックホールリンク１３２（たとえば、Ｓ１など）を通してコアネットワーク１３０とインターフェースし得、ＵＥ１１５との通信のための無線構成およびスケジューリングを実行し得るか、または基地局コントローラ（図示されず）の制御下で動作し得る。様々な例では、基地局１０５は、ワイヤードまたはワイヤレス通信リンクであり得るバックホールリンク１３４（たとえば、Ｘ２など）を介して他の基地局１０５と直接または間接的に（たとえば、コアネットワーク１３０を通じて）通信し得る。
【００４９】
[0060]基地局１０５は、１つまたは複数の基地局アンテナを介してＵＥ１１５とワイヤレスに通信することができる。基地局１０５サイトのそれぞれは、それぞれの地理的カバレージエリア１１０の通信カバレージを提供することができる。いくつかの例では、基地局１０５は、基地トランシーバ局、無線基地局、アクセスポイント、無線トランシーバ、ＮｏｄｅＢ、ｅＮｏｄｅＢ（ｅＮＢ）、Ｈｏｍｅ  ＮｏｄｅＢ、Ｈｏｍｅ  ｅＮｏｄｅＢ、または何らかの他の好適な用語で呼ばれることがある。基地局１０５のための地理的カバレージエリア１１０は、カバレージエリアの一部分を構成するセクタ（図示せず）に分割され得る。ワイヤレス通信システム１００は、異なるタイプの基地局１０５（たとえば、マクロ基地局またはスモールセル基地局）を含み得る。異なる技術のための重複する地理的カバレージエリア１１０があり得る。
【００５０】
[0061]いくつかの例では、ワイヤレス通信システム１００はＬＴＥ／ＬＴＥ−Ａネットワークを含み得る。ＬＴＥ／ＬＴＥ−Ａネットワークでは、発展型ノードＢ（ｅＮＢ）という用語は、基地局１０５を表すために使用され得、ＵＥという用語は、ＵＥ１１５を表すために使用され得る。ワイヤレス通信システム１００は、異なるタイプのｅＮＢが様々な地理的領域にカバレージを提供する異種ＬＴＥ／ＬＴＥ−Ａネットワークであり得る。たとえば、各ｅＮＢまたは基地局１０５は、マクロセル、スモールセル、または他のタイプのセルに通信カバレージを提供し得る。「セル」という用語は、コンテキストに応じて、基地局、基地局に関連付けられたキャリアもしくはコンポーネントキャリア、またはキャリアもしくは基地局のカバレージエリア（たとえば、セクタなど）を記述するために使用され得る３ＧＰＰ（登録商標）用語である。
【００５１】
[0062]マクロセルは、比較的大きい地理的エリア（たとえば、半径数キロメートル）をカバーし得、ネットワーク事業者のサービスに加入しているＵＥによる無制限アクセスを可能にし得る。スモールセルは、マクロセルと比較して、同じまたは異なる（たとえば、ライセンスされている、ライセンスされていないなどの）無線周波数スペクトル帯域内でマクロセルとして動作し得るより低い電力の基地局であり得る。スモールセルは、様々な例によると、ピコセルとフェムトセルとマイクロセルとを含み得る。ピコセルは、比較的より小さい地理的エリアをカバーし得、ネットワークプロバイダのサービスに加入しているＵＥによる無制限アクセスを可能にし得る。フェムトセルも、比較的小さい地理的エリア（たとえば、自宅）をカバーし得、フェムトセルとの関連付けを有するＵＥ（たとえば、限定加入者グループ（ＣＳＧ：closed subscriber group）の中のＵＥ、自宅の中のユーザ向けのＵＥなど）による制限付きアクセスを提供し得る。マクロセル用のｅＮＢは、マクロｅＮＢと呼ばれることがある。スモールセル用のｅＮＢは、スモールセルｅＮＢ、ピコｅＮＢ、フェムトｅＮＢ、またはホームｅＮＢと呼ばれることがある。ｅＮＢは、１つまたは複数（たとえば、２つ、３つ、４つなど）のセル（たとえば、コンポーネントキャリア）をサポートし得る。
【００５２】
[0063]ワイヤレス通信システム１００は、同期動作または非同期動作をサポートし得る。同期動作の場合、基地局は同様のフレームタイミングを有し得、異なる基地局からの送信は時間的にほぼアラインされ（aligned）得る。非同期動作の場合、基地局は、異なるフレームタイミングを有し得、異なる基地局からの送信は、時間的にアラインされない場合がある。本明細書で説明する技法は、同期動作または非同期動作のいずれかのために使われ得る。
【００５３】
[0064]様々な開示される例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ）レイヤにおける通信はＩＰベースであり得る。無線リンク制御（ＲＬＣ）レイヤが、論理チャネルを介して通信するためにパケットセグメンテーションおよびリアセンブリを実行し得る。媒体アクセス制御（ＭＡＣ）レイヤが、優先度ハンドリングと、トランスポートチャネルへの論理チャネルの多重化とを実行し得る。ＭＡＣレイヤはまた、ＭＡＣレイヤにおける再送信を行ってリンク効率を改善するために、ハイブリッドＡＲＱ（ＨＡＲＱ）を使用し得る。制御プレーンでは、無線リソース制御（ＲＲＣ）プロトコルレイヤは、ユーザプレーンデータのために無線ベアラをサポートする、ＵＥ１１５と基地局１０５またはコアネットワーク１３０との間のＲＲＣ接続の確立と、構成と、保守とを提供し得る。物理（ＰＨＹ）レイヤにおいて、トランスポートチャネルは、物理チャネルにマッピングされ得る。
【００５４】
[0065]ＵＥ１１５は、ワイヤレス通信システム１００全体にわたって分散され得、各ＵＥ１１５は、固定式または移動式であり得る。ＵＥ１１５はまた、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語を含み得るか、あるいは当業者によってそのように呼ばれることがある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局およびネットワーク機器と通信することが可能であり得る。
【００５５】
[0066]ワイヤレス通信システム１００に示された通信リンク１２５は、基地局１０５からＵＥ１１５へのダウンリンク（ＤＬ）送信、またはＵＥ１１５から基地局１０５へのアップリンク（ＵＬ）送信を含み得る。ダウンリンク送信は順方向リンク送信と呼ばれることもあり、アップリンク送信は逆方向リンク送信と呼ばれることもある。いくつかの例では、ＵＬ送信はアップリンク制御情報の送信を含み得、アップリンク制御情報はアップリンク制御チャネル（たとえば、物理アップリンク制御チャネル（ＰＵＣＣＨ：physical uplink control channel）または拡張ＰＵＣＣＨ（ｅＰＵＣＣＨ））を介して送信され得る。アップリンク制御情報は、たとえば、ダウンリンク送信の肯定応答もしくは否定応答、またはチャネル状態情報を含み得る。アップリンク送信はデータの送信をも含み得、データは、物理アップリンク共有チャネル（ＰＵＳＣＨ）または拡張ＰＵＳＣＨ（ｅＰＵＳＣＨ）を介して送信され得る。アップリンク送信はまた、サウンディング基準信号（ＳＲＳ：sounding reference signal）または拡張ＳＲＳ（ｅＳＲＳ）、（たとえば、デュアル接続性モード、または図２Ａおよび図２Ｂを参照しながら説明されるスタンドアロンモードでの）物理ランダムアクセスチャネル（ＰＲＡＣＨ：physical random access channel）または拡張ＰＲＡＣＨ（ｅＰＲＡＣＨ）、あるいは（たとえば、図２Ａおよび図２Ｂを参照しながら説明されるスタンドアロンモードでの）スケジューリング要求（ＳＲ：scheduling request）または拡張ＳＲ（ｅＳＲ）の送信を含み得る。ＰＵＣＣＨ、ＰＵＳＣＨ、ＰＲＡＣＨ、ＳＲＳ、またはＳＲへの本開示における言及は、それぞれのｅＰＵＣＣＨ、ｅＰＵＳＣＨ、ｅＰＲＡＣＨ、ｅＳＲＳ、またはｅＳＲへの言及を本質的に含むと推定される。
【００５６】
[0067]いくつかの例では、各通信リンク１２５は１つまたは複数のキャリアを含み得、ここで、各キャリアは、上記で説明された様々な無線技術に従って変調された複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、周波数領域複信（ＦＤＤ）動作を使用して（たとえば、対スペクトルリソース（paired spectrum resources）を使用して）、または時間領域複信（ＴＤＤ）動作を使用して（たとえば、不対スペクトルリソース（unpaired spectrum resources）を使用して）双方向通信を送信し得る。ＦＤＤ動作用のフレーム構造（たとえば、フレーム構造タイプ１）およびＴＤＤ動作用のフレーム構造（たとえば、フレーム構造タイプ２）が定義され得る。
【００５７】
[0068]ワイヤレス通信システム１００のいくつかの態様では、基地局１０５またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５またはＵＥ１１５は、同じまたは異なるコード化データを搬送する複数の空間レイヤを送信するために、マルチパス環境を利用し得る多入力多出力（ＭＩＭＯ）技法を採用し得る。
【００５８】
[0069]ワイヤレス通信システム１００は、複数のセルまたはキャリア上での動作、すなわち、キャリアアグリゲーション（ＣＡ：carrier aggregation）またはマルチキャリア動作と呼ばれることがある特徴をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書で互換的に使用され得る。ＵＥ１１５は、キャリアアグリゲーションのために、複数のダウンリンクＣＣおよび１つまたは複数のアップリンクＣＣを用いて構成され得る。キャリアアグリゲーションは、ＦＤＤコンポーネントキャリアとＴＤＤコンポーネントキャリアの両方を用いて使用され得る。
【００５９】
[0070]ワイヤレス通信システム１００は、同じくまたは代替的に、非競合のライセンスされている無線周波数スペクトル帯域（たとえば、ＬＴＥ／ＬＴＥ−Ａ通信のために使用可能なライセンスされている無線周波数スペクトル帯域など、無線周波数スペクトル帯域が、特定の使用のために特定のユーザにライセンスされているので、送信装置がそれのためにアクセスを求めて競合しないことがある、無線周波数スペクトル帯域）または競合ベースの共有無線周波数スペクトル帯域（たとえば、無線周波数スペクトル帯域が、ＷｉＦｉ使用など、ライセンスされていない使用のために利用可能であるので、送信装置がそれのためにアクセスを求めて競合する必要があり得る、ライセンスされていない無線周波数スペクトル帯域）上での動作をサポートし得る。競合ベースの共有無線周波数スペクトル帯域へのアクセスの競合に勝つと、送信装置（たとえば、基地局１０５またはＵＥ１１５）は、ライセンスされていない無線周波数スペクトル帯域上で１つまたは複数のチャネル予約信号（たとえば、１つまたは複数のＣＵＢＳ）を送信し得る。チャネル予約信号は、検出可能なエネルギーをライセンスされていない無線周波数スペクトル帯域上で供給することによって、ライセンスされていない無線周波数スペクトルを予約するように働き得る。チャネル予約信号はまた、送信装置および／または送信アンテナを識別するように働き、あるいは送信装置と受信装置とを同期させるように働き得る。いくつかの例では、チャネル予約信号送信は、シンボル期間境界（たとえば、ＯＦＤＭシンボル期間境界）において開始し得る。他の例では、ＣＵＢＳ送信はシンボル期間境界の間に開始し得る。
【００６０】
[0071]図１に示されている構成要素の数および構成は、一例として与えられている。実際には、ワイヤレス通信システム１００は、図１に示されているもの以外に、追加のデバイス、より少数のデバイス、異なるデバイス、または別様に構成されたデバイスを含み得る。追加または代替として、ワイヤレス通信システム１００のデバイスのセット（たとえば、１つまたは複数のデバイス）は、ワイヤレス通信システム１００のデバイスの別のセットによって実行されるものとして説明される１つまたは複数の機能を実行し得る。
【００６１】
[0072]次に図２Ａを参照すると、図２００は、補足（supplemental）ダウンリンクモード（たとえば、ライセンス補助アクセス（ＬＡＡ）モード）の例と、競合ベースの共有スペクトルに拡張されたＬＴＥ／ＬＴＥ−ＡをサポートするＬＴＥネットワークのためのキャリアアグリゲーションモードの例とを示している。図２００は、図１のシステム１００の部分の一例とすることができる。その上、基地局１０５−ａは図１の基地局１０５の一例であり得、ＵＥ１１５−ａは図１のＵＥ１１５の例であり得る。
【００６２】
[0073]図２００中の補足ダウンリンクモード（たとえば、ＬＡＡモード）の例では、基地局１０５−ａは、ダウンリンク２０５を使用してＵＥ１１５−ａにＯＦＤＭＡ通信信号を送信し得る。ダウンリンク２０５はライセンスされていないスペクトル中の周波数Ｆ１に関連付けられる。基地局１０５−ａは、ＯＦＤＭＡ通信信号を同じＵＥ１１５−ａに双方向リンク２１０を使用して送信し得、ＳＣ−ＦＤＭＡ通信信号をそのＵＥ１１５−ａから双方向リンク２１０を使用して受信し得る。双方向リンク２１０はライセンスされているスペクトル中の周波数Ｆ４に関連付けられる。ライセンスされていないスペクトル中のダウンリンク２０５およびライセンスされているスペクトル中の双方向リンク２１０は、コンカレントに動作し得る。ダウンリンク２０５は、基地局１０５−ａに対してダウンリンク容量オフロードを提供し得る。いくつかの実施形態では、ダウンリンク２０５は、ユニキャストサービス（たとえば、１つのＵＥにアドレス指定される）サービスまたはマルチキャストサービス（たとえば、いくつかのＵＥにアドレス指定される）に使用され得る。このシナリオは、ライセンスされているスペクトルを使用しトラフィックおよび／またはシグナリングの混雑（congestion）のうちの一部を緩和する必要がある、任意のサービスプロバイダ（たとえば、従来のモバイルネットワーク事業者すなわちＭＮＯ）に対して生じ得る。
【００６３】
[0074]図２００におけるキャリアアグリゲーションモードの１つの例では、基地局１０５−ａは、ＯＦＤＭＡ通信信号をＵＥ１１５−ａへ双方向リンク２１５を使用して送信し得、ＳＣ−ＦＤＭＡ通信信号を同じＵＥ１１５−ａから双方向リンク２１５を使用して受信し得る。双方向リンク２１５はライセンスされていないスペクトル中の周波数Ｆ１に関連付けられる。基地局１０５−ａはまた、双方向リンク２２０を使用して同じＵＥ１１５−ａにＯＦＤＭＡ通信信号を送信し得、双方向リンク２２０を使用して同じＵＥ１１５−ａからＳＣ−ＦＤＭＡ通信信号を受信し得る。双方向リンク２２０はライセンスされているスペクトル中の周波数Ｆ２に関連付けられる。双方向リンク２１５は、基地局１０５−ａに対してダウンリンクおよびアップリンクの容量オフロードを提供し得る。上記で説明した補足ダウンリンク（たとえば、ＬＡＡモード）のように、このシナリオは、ライセンスされているスペクトルを使用しトラフィックおよび／またはシグナリングの混雑のうちの一部を緩和する必要がある、任意のサービスプロバイダ（たとえば、ＭＮＯ）に対して生じる場合がある。
【００６４】
[0075]図２００中のキャリアアグリゲーションモードの別の例では、基地局１０５−ａは、双方向リンク２２５を使用してＵＥ１１５−ａにＯＦＤＭＡ通信信号を送信し得、双方向リンク２２５を使用して同じＵＥ１１５−ａからＳＣ−ＦＤＭＡ通信信号を受信し得る。双方向リンク２２５はライセンスされていないスペクトル中の周波数Ｆ３に関連付けられる。基地局１０５−ａはまた、双方向リンク２３０を使用して同じＵＥ１１５−ａにＯＦＤＭＡ通信信号を送信し得、双方向リンク２３０を使用して同じＵＥ１１５−ａからＳＣ−ＦＤＭＡ通信信号を受信し得る。双方向リンク２３０はライセンスされているスペクトル中の周波数Ｆ２に関連付けられる。双方向リンク２２５は、基地局１０５−ａに対してダウンリンクおよびアップリンクの容量オフロードを提供し得る。本例および上記で提供された例は、例示を目的として提示されており、容量オフロードのために競合ベースの共有スペクトルを用いるＬＴＥ／ＬＴＥ−Ａと用いないＬＴＥ／ＬＴＥ−Ａとを組み合わせる他の同様のモードの動作または展開のシナリオがあり得る。
【００６５】
[0076]上記で説明されたように、競合ベースのスペクトルに拡張されたＬＴＥ／ＬＴＥ−Ａを使用することによって提供される容量オフロードから恩恵を受け得る一般的なサービスプロバイダは、ＬＴＥスペクトルを用いる従来のＭＮＯである。これらのサービスプロバイダの場合、動作構成は、非競合スペクトル上のＬＴＥ１次コンポーネントキャリア（ＰＣＣ）と競合ベースのスペクトル上のＬＴＥ２次コンポーネントキャリア（ＳＣＣ）とを使用するブートストラップモード（a bootstrapped mode）（たとえば、補足ダウンリンク（たとえば、ＬＡＡモード）、キャリアアグリゲーション）を含み得る。
【００６６】
[0077]補足ダウンリンクモードにおいて、競合ベースのスペクトルに拡張されたＬＴＥ／ＬＴＥ−Ａに対する制御は、ＬＴＥアップリンク（たとえば、双方向リンク２１０のアップリンク部）を介してトランスポートされ得る。ダウンリンク容量オフロードを提供する理由の１つは、ダウンリンク消費によってデータ需要が大幅に高められるからである。その上、このモードでは、ＵＥはライセンスされていないスペクトルの中で送信していないので、規制影響（regulatory impact）がない場合がある。ＵＥ上で送信リッスンビフォアトーク（ＬＢＴ：listen-before-talk）またはキャリアセンス多元接続（ＣＳＭＡ：carrier sense multiple access）要件をインプリメントする（implement）必要はない。しかしながら、ＬＢＴは、たとえば、周期的（たとえば、１０ミリ秒ごと）なクリアチャネルアセスメント（ＣＣＡ）および／または無線フレーム境界にアラインされたｇｒａｂ−ａｎｄ−ｒｅｌｉｎｑｕｉｓｈメカニズムを使用することによって、基地局（たとえば、ｅＮＢ）上でインプリメントされ得る。
【００６７】
[0078]キャリアアグリゲーションモードでは、ＬＴＥ（たとえば、双方向リンク２１０、２２０、および２３０）においてデータおよび制御が通信され得、一方で、競合ベースの共有スペクトルに拡張されたＬＴＥ／ＬＴＥ−Ａ（たとえば、双方向リンク２１５および２２５）においてデータが通信され得る。競合ベースの共有スペクトルに拡張されたＬＴＥ／ＬＴＥ−Ａを使用するときにサポートされるキャリアアグリゲーションメカニズムは、ハイブリッド周波数分割複信−時分割複信（ＦＤＤ−ＴＤＤ）キャリアアグリゲーション、または複数のコンポーネントキャリアにわたって異なる対称性を伴うＴＤＤ−ＴＤＤキャリアアグリゲーションに該当し得る。
【００６８】
[0079]図２Ｂは、競合ベースの共有スペクトルに拡張されたＬＴＥ／ＬＴＥ−Ａに対するスタンドアロンモードの一例を示す図２００−ａを示す。図２００−ａは図１のシステム１００の部分の一例であり得る。その上、基地局１０５−ｂは、図１の基地局１０５および図２Ａの基地局１０５−ａの一例であり得、一方、ＵＥ１１５−ｂは、図１のＵＥ１１５および図２ＡのＵＥ１１５−ａの一例であり得る。
【００６９】
[0080]図２００−ａにおけるスタンドアロンモードの一例では、基地局１０５−ｂは、ＯＦＤＭＡ通信信号をＵＥ１１５−ｂへ双方向リンク２４０を使用して送信し得、ＳＣ−ＦＤＭＡ通信信号をＵＥ１１５−ｂから双方向リンク２４０を使用して受信し得る。双方向リンク２４０は、図２Ａに関して上記で説明された競合ベースの共有スペクトル中の周波数Ｆ３に関連付けられる。スタンドアロンモードは、スタジアム内アクセス（たとえば、ユニキャスト、マルチキャスト）などの、非従来型のワイヤレスアクセスシナリオにおいて使用され得る。この動作モードの典型的なサービスプロバイダの一例は、スタジアムの所有者、ケーブル会社、イベント主催者、ホテル、企業、およびライセンスされているスペクトルを有しない大企業であり得る。これらのサービスプロバイダの場合、スタンドアロンモードのための動作構成は競合ベースのスペクトル上でＰＣＣを使用し得る。その上、ＬＢＴは、基地局とＵＥの両方でインプリメントされ得る。
【００７０】
[0081]いくつかの例では、図１、図２Ａもしくは図２Ｂを参照しながら説明された基地局１０５、２０５、もしくは２０５−ａのうちの１つ、または図１、図２Ａもしくは図２Ｂを参照しながら説明されたＵＥ１１５、２１５、２１５−ａ、２１５−ｂ、もしくは２１５−ｃのうちの１つのような送信装置は、競合ベースの共有無線周波数スペクトル帯域のチャネルへの（たとえば、ライセンスされていない無線周波数スペクトル帯域の物理チャネルへの）アクセスを獲得するためにゲーティング間隔（a gating interval）を使用し得る。いくつかの例では、ゲーティング間隔は周期的であり得る。たとえば、周期的ゲーティング間隔は、ＬＴＥ／ＬＴＥ−Ａ無線間隔の少なくとも１つの境界と同期し得る。ゲーティング間隔は、欧州電気通信標準化機構（（ＥＴＳＩ：European Telecommunications Standards Institute）（ＥＮ３０１  ８９３）において指定されているＬＢＴプロトコルに少なくとも部分的に基づくＬＢＴプロトコルなど、競合ベースプロトコルの適用を定義し得る。ＬＢＴプロトコルの適用を定義するゲーティング間隔を使用するとき、ゲーティング間隔は、送信装置がクリアチャネルアセスメント（ＣＣＡ）手順などの競合手順（たとえば、ＬＢＴ手順）をいつ実行する必要があるかを示し得る。ＣＣＡ手順の結果は、競合ベースの共有無線周波数スペクトル帯域のチャネルが（ＬＢＴ無線フレームとも呼ばれる）ゲーティング間隔のために利用可能であるか使用中であるかを送信装置に示し得る。チャネルが、対応するＬＢＴ無線フレームに利用可能である（たとえば、使用のために「クリア」）ことをＣＣＡ手順が示すとき、送信装置は、ＬＢＴ無線フレームの一部または全部の間に競合ベースの共有無線周波数スペクトル帯域のチャネルを予約または使用し得る。チャネルが利用可能ではないこと（たとえば、チャネルが別の送信装置によって使用中であるか、または予約されていること）をＣＣＡ手順が示すとき、送信装置は、ＬＢＴ無線フレームの間にチャネルを使用することを妨げられ得る。
【００７１】
[0082]図２Ａおよび図２Ｂに示されているコンポーネントの数および構成は、例として与えられている。実際には、ワイヤレス通信システム２００は、追加のデバイス、より少数のデバイス、異なるデバイス、または図２Ａおよび図２Ｂに示されているものとは別様に構成されたデバイスを含み得る。
【００７２】
[0083]図３は、本開示の様々な態様による、ライセンスされていない無線周波数スペクトル帯域を介したワイヤレス通信３１０の例３００の一例である。いくつかの例では、ＬＢＴ無線フレーム３１５は、１０ミリ秒の持続時間を有し得、いくつかのダウンリンク（Ｄ）サブフレーム３２０、いくつかのアップリンク（Ｕ）サブフレーム３２５、ならびに２つのタイプの特殊サブフレーム、すなわち、Ｓサブフレーム３３０、およびＳ’サブフレーム３３５を含み得る。Ｓサブフレーム３３０は、ダウンリンクサブフレーム３２０とアップリンクサブフレーム３２５との間の遷移を提供し得、Ｓ’サブフレーム３３５は、アップリンクサブフレーム３２５とダウンリンクサブフレーム３２０との間の遷移と、いくつかの例では、複数のＬＢＴ無線フレーム間の遷移とを提供し得る。
【００７３】
[0084]Ｓ’サブフレーム３３５の間に、図１または図２を参照しながら説明された基地局１０５、２０５、または２０５−ａのうちの１つまたは複数のような、１つまたは複数の基地局によって、ワイヤレス通信３１０が生じる競合ベースの共有無線周波数スペクトル帯域のチャネルをある時間期間の間予約するために、ダウンリンククリアチャネルアセスメント（ＣＣＡ）手順３４５が実行され得る。基地局による成功したダウンリンクＣＣＡ手順３４５の後、基地局は、基地局がチャネルを予約したというインジケーションを他の基地局または装置（たとえば、ＵＥ、ＷｉＦｉアクセスポイントなど）に提供するために、チャネル使用ビーコン信号（ＣＵＢＳ）（たとえば、ダウンリンクＣＵＢＳ（Ｄ−ＣＵＢＳ３５０））などのプリアンブルを送信し得る。いくつかの例では、Ｄ−ＣＵＢＳ３５０は、インターリーブされた複数のリソースブロックを使用して送信され得る。この方式でＤ−ＣＵＢＳ３５０を送信することは、Ｄ−ＣＵＢＳ３５０が、競合ベースの共有無線周波数スペクトル帯域の利用可能な周波数帯域幅の少なくともある割合を占有し、１つまたは複数の規制上の要件（たとえば、ライセンスされていない無線周波数スペクトル帯域上での送信が利用可能な周波数帯域幅の少なくとも８０％を占有するという要件）を満たすことを可能にし得る。Ｄ−ＣＵＢＳ３５０は、いくつかの例では、ＬＴＥ／ＬＴＥ−Ａセル固有基準信号（ＣＲＳ）またはチャネル状態情報基準信号（ＣＳＩ−ＲＳ）の形態と同様の形態をとり得る。ダウンリンクＣＣＡ手順３４５が失敗するとき、Ｄ−ＣＵＢＳ３５０が送信されないことがある。
【００７４】
[0085]Ｓ’サブフレーム３３５は、複数のＯＦＤＭシンボル期間（たとえば、１４個のＯＦＤＭシンボル期間）を含み得る。Ｓ’サブフレーム３３５の第１の部分は、短縮されたアップリンク（Ｕ）期間３４０として、いくつかのＵＥによって使用され得る。Ｓ’サブフレーム３３５の第２の部分は、ダウンリンクＣＣＡ手順３４５のために使われ得る。Ｓ’サブフレーム３３５の第３の部分は、Ｄ−ＣＵＢＳ３５０を送信するために競合ベースの共有無線周波数スペクトル帯域のチャネルへのアクセスに対して成功裏に競合する１つまたは複数の基地局によって使用され得る。
【００７５】
[0086]Ｓサブフレーム３３０中に、アップリンクＣＣＡ手順３６５が、ある時間期間の間、ワイヤレス通信３１０が発生するチャネルを予約するために、図１、図２Ａまたは図２Ｂを参照しながら上記で説明したＵＥ１１５、２１５、２１５−ａ、２１５−ｂ、または２１５−ｃのうちの１つまたは複数など、１つまたは複数のＵＥによって実行され得る。ＵＥによる成功したアップリンクＣＣＡ手順３６５の後、ＵＥは、ＵＥがチャネルを予約したというインジケーションを他のＵＥまたは装置（たとえば、基地局、ＷｉＦｉアクセスポイントなど）に提供するために、アップリンクＣＵＢＳ（Ｕ−ＣＵＢＳ３７０）などのプリアンブルを送信し得る。いくつかの例では、Ｕ−ＣＵＢＳ３７０は、インターリーブされた複数のリソースブロックを使用して送信され得る。この方式でＵ−ＣＵＢＳ３７０を送信することは、Ｕ−ＣＵＢＳ３７０が、競合ベースの無線周波数スペクトル帯域の利用可能な周波数帯域幅の少なくともある割合を占有し、１つまたは複数の規制上の要件（たとえば、競合ベースの無線周波数スペクトル帯域上での送信が利用可能な周波数帯域幅の少なくとも８０％を占有するという要件）を満たすことを可能にし得る。Ｕ−ＣＵＢＳ３７０は、いくつかの例では、ＬＴＥ／ＬＴＥ−Ａ  ＣＲＳまたはＣＳＩ−ＲＳの形態と同様の形態をとり得る。アップリンクＣＣＡ手順３６５が失敗するとき、Ｕ−ＣＵＢＳ３７０が送信されないことがある。
【００７６】
[0087]Ｓサブフレーム３３０は、複数のＯＦＤＭシンボル期間（たとえば、１４個のＯＦＤＭシンボル期間）を含み得る。Ｓサブフレーム３３０の第１の部分は、短縮されたダウンリンク（Ｄ）期間３５５としていくつかの基地局によって使用され得る。Ｓサブフレーム３３０の第２の部分は、ガード期間（ＧＰ）３６０として使用され得る。Ｓサブフレーム３３０の第３の部分は、アップリンクＣＣＡ手順３６５のために使用され得る。Ｓサブフレーム３３０の第４の部分は、アップリンクパイロットタイムスロット（ＵｐＰＴＳ）としてまたはＵ−ＣＵＢＳ３７０を送信するために競合ベースの無線周波数スペクトル帯域のチャネルへのアクセスに対して成功裏に競合する１つまたは複数のＵＥによって使用され得る。
【００７７】
[0088]いくつかの例では、ダウンリンクＣＣＡ手順３４５またはアップリンクＣＣＡ手順３６５は、単一のＣＣＡ手順の実行（performance）を含み得る。他の例では、ダウンリンクＣＣＡ手順３４５またはアップリンクＣＣＡ手順３６５は、拡張されたＣＣＡ手順の実行を含み得る。拡張ＣＣＡ手順は、ランダムな数のＣＣＡ手順を含み得、いくつかの例では、複数のＣＣＡ手順を含み得る。
【００７８】
[0089]上で示されたように、図３は例として提供される。他の例が可能であり、他の例は図３に関連して説明されたものとは異なることがある。
【００７９】
[0090]図４は、本開示の様々な態様による、競合ベースの共有無線周波数スペクトル帯域にアクセスするために競合するとき、送信装置によって実行されるＣＣＡ手順４１５の一例４００の図である。いくつかの例では、ＣＣＡ手順４１５は、図３を参照しながら説明したダウンリンクＣＣＡ手順３４５またはアップリンクＣＣＡ手順３６５の一例であり得る。ＣＣＡ手順４１５は固定持続時間を有し得る。いくつかの例では、ＣＣＡ手順４１５は、ＬＢＴフレームベース機器（ＬＢＴ−ＦＢＥ）プロトコル（たとえば、ＥＮ３０１  ８９３によって説明されるＬＢＴ−ＦＢＥプロトコル）に従って実行され得る。ＣＣＡ手順４１５に続いて、ＣＵＢＳ４２０などのチャネル予約信号が送信され得、データ送信（たとえば、アップリンク送信またはダウンリンク送信）が後続し得る。例として、データ送信は、３つのサブフレームの意図された持続時間４０５と、３つのサブフレームの実際の持続時間４１０とを有し得る。
【００８０】
[0091]上で示されたように、図４は例として提供される。他の例が可能であり、他の例は図４に関連して説明されたものとは異なることがある。
【００８１】
[0092]図５は、本開示の様々な態様による、競合ベースの共有無線周波数スペクトル帯域にアクセスするために競合するとき、送信装置によって実行される拡張ＣＣＡ（ＥＣＣＡ）手順５１５の一例５００の図である。いくつかの例では、ＥＣＣＡ手順５１５は、図３を参照しながら説明したダウンリンクＣＣＡ手順３４５またはアップリンクＣＣＡ手順３６５の一例であり得る。ＥＣＣＡ手順５１５は、ランダムな数のＣＣＡ手順を含み得、いくつかの例では、複数のＣＣＡ手順を含み得る。したがって、ＥＣＣＡ手順５１５は、可変の持続時間を有し得る。いくつかの例では、ＥＣＣＡ手順５１５は、ＬＢＴ負荷ベース機器（ＬＢＴ−ＬＢＥ）プロトコル（たとえば、ＥＮ３０１  ８９３によって説明されるＬＢＴ−ＬＢＥプロトコル）に従って実行され得る。ＥＣＣＡ手順５１５は、競合ベースの共有無線周波数スペクトル帯域にアクセスするための競合に勝つことのより高い可能性をもたらし得るが、より短いデータ伝送の潜在的なコストをもたらし得る。ＥＣＣＡ手順５１５に続いて、ＣＵＢＳ５２０など、チャネル予約信号が送信され、その後にデータ送信が続き得る。例として、データ送信は、３つのサブフレームの意図された持続時間５０５と、２つのサブフレームの実際の持続時間５１０とを有し得る。
【００８２】
[0093]上で示されたように、図５は例として提供される。他の例が可能であり、他の例は図５に関連して説明されたものとは異なることがある。
【００８３】
[0094]図６は、図１の基地局／ｅＮＢのうちの１つであり得る基地局／ｅＮＢ１０５および図１のＵＥのうちの１つであり得るＵＥ１１５の設計のブロック図を示す。ｅＮＢ１０５はアンテナ６３４ａ〜６３４ｔを装備し得、ＵＥ１１５はアンテナ６５２ａ〜６５２ｒを装備し得る。ｅＮＢ１０５において、送信プロセッサ６２０は、データソース６１２からデータを受信し、コントローラ／プロセッサ６４０から制御情報を受信することができる。制御情報は、物理ブロードキャストチャネル（ＰＢＣＨ：physical broadcast channel）、物理制御フォーマットインジケータチャネル（ＰＣＦＩＣＨ：physical control format indicator channel）、物理ハイブリッド自動再送要求インジケータチャネル（ＰＨＩＣＨ：physical hybrid automatic repeat request indicator channel）、物理ダウンリンク制御チャネル（ＰＤＣＣＨ：physical downlink control channel）などに対するものであり得る。データは、物理ダウンリンク共有チャネル（ＰＤＳＣＨ：physical downlink shared channel）などのためのものであり得る。送信プロセッサ６２０は、データシンボルと制御シンボルとを取得するために、それぞれデータと制御情報とを処理（たとえば、符号化およびシンボルマッピング）し得る。送信プロセッサ６２０はまた、たとえば、１次同期信号（ＰＳＳ）、２次同期信号（ＳＳＳ）、およびセル固有基準信号のための基準シンボルを生成し得る。送信（ＴＸ）多入力多出力（ＭＩＭＯ）プロセッサ６３０は、適用可能な場合、データシンボル、制御シンボル、および／または基準シンボルに対して空間処理（たとえば、プリコーディング）を実行し得、出力シンボルストリームを変調器（ＭＯＤ）６３２ａ〜６３２ｔに与え得る。各変調器６３２は、出力サンプルストリームを取得するために、（たとえば、ＯＦＤＭなどのための）それぞれの出力シンボルストリームを処理し得る。各変調器６３２はさらに、ダウンリンク信号を取得するために、出力サンプルストリームを処理（たとえば、アナログへの変換、増幅、フィルタ処理、およびアップコンバート）し得る。変調器６３２ａ〜６３２ｔからのダウンリンク信号は、それぞれアンテナ６３４ａ〜６３４ｔを介して送信され得る。
【００８４】
[0095]ＵＥ１１５において、アンテナ６５２ａ〜６５２ｒは、ｅＮＢ１０５からダウンリンク信号を受信し得、受信信号をそれぞれ復調器（ＤＥＭＯＤ）６５４ａ〜６５４ｒに与え得る。各復調器６５４は、入力サンプルを取得するために、それぞれの受信信号を調整（たとえば、フィルタ処理、増幅、ダウンコンバート、およびデジタル化）し得る。各復調器６５４は、受信シンボルを取得するために、（たとえば、ＯＦＤＭなどのために）入力サンプルをさらに処理し得る。ＭＩＭＯ検出器６５６は、すべての復調器６５４ａ〜６５４ｒから受信シンボルを取得し、適用可能な場合は受信シンボルに対してＭＩＭＯ検出を実行し、検出シンボルを与え得る。受信プロセッサ６５８は、検出されたシンボルを処理（たとえば、復調、デインターリーブ、および復号）し、ＵＥ１１５のための復号されたデータをデータシンク６６０に与え、復号された制御情報をコントローラ／プロセッサ６８０に与え得る。
【００８５】
[0096]アップリンク上では、ＵＥ１１５において、送信プロセッサ６６４が、データソース６６２から（たとえば、物理アップリンク共有チャネル（ＰＵＳＣＨ：physical uplink shared channel）のための）データを受信し、処理し得、コントローラ／プロセッサ６８０から（たとえば、物理アップリンク制御チャネル（ＰＵＣＣＨ：physical uplink control channel）のための）制御情報を受信し、処理し得る。送信プロセッサ６６４はまた、基準信号のための基準シンボルを生成し得る。送信プロセッサ６６４からのシンボルは、適用可能な場合はＴＸ  ＭＩＭＯプロセッサ６６６によってプリコーディングされ、さらに（たとえば、ＳＣ−ＦＤＭなどのために）復調器６５４ａ〜６５４ｒによって処理され、ｅＮＢ１０５に送信され得る。ｅＮＢ１０５において、ＵＥ１１５からのアップリンク信号は、アンテナ６３４によって受信され、変調器６３２によって処理され、適用可能な場合はＭＩＭＯ検出器６３６によって検出され、ＵＥ１１５によって送られた復号されたデータおよび制御情報が取得するために、さらに受信プロセッサ６３８によって処理され得る。プロセッサ６３８は、復号されたデータをデータシンク６３９に与え、復号された制御情報をコントローラ／プロセッサ６４０に与え得る。
【００８６】
[0097]コントローラ／プロセッサ６４０および６８０は、それぞれｅＮＢ１０５における動作およびＵＥ１１５における動作を指示し得る。ｅＮＢ１０５におけるコントローラ／プロセッサ６４０および／または他のプロセッサおよびモジュールは、本明細書で説明する技法のための様々なプロセスを実行するか、またはその実行を指示し得る。ＵＥ１１５におけるコントローラ／プロセッサ６８０ならびに／または他のプロセッサおよびモジュールはまた、図７、図９および図１２〜図１７に示されている機能ブロック、および／または本明細書で説明する技法のための他のプロセスを実行するか、またはその実行を指示し得る。メモリ６４２および６８２は、それぞれ、ｅＮＢ１０５およびＵＥ１１５のためのデータおよびプログラムコードを記憶し得る。スケジューラ６４４は、ダウンリンクおよび／またはアップリンク上でのデータ送信のためにＵＥをスケジューリングし得る。
【００８７】
[0098]ＵＥなどのデバイスは、信号の受信および／または送信に使用するために複数のアンテナ（Ｎ）を有し得る。デバイスは、ＬＴＥ、ＷｉＦｉなどの特定の無線アクセス技術（ＲＡＴ）のため、特定のキャリア周波数のため、またはその両方のために使用するために、アンテナの使用と割り当てとを分割する場合がある。たとえば、デバイスは、ＣＡの場合に１つのキャリアに対して固定数のアンテナを使用し得、またはデバイスがＷｉＦｉとＬＴＥなどの他の技術の両方をサポートするときにＷｉＦｉに対して固定数のアンテナを使用し得る。一例では、ＵＥは４つのアンテナを有し、ＷｉＦｉ通信のためにアンテナのうちの２つを割り当て、ＬＴＥ通信のために２つのアンテナを割り当て得る。ＵＥなどのデバイスはまた、１つの技術または１つのキャリアのためのアンテナの数を動的にまたは半静的に（semi-statically）選択し得る（アンテナ選択）。そのような動的なまたは半静的な方式では、共有または選択は、チャネル品質インジケータ（ＣＱＩ）、基準信号受信電力（ＲＳＲＰ）など、特定の測定結果によってトリガされ得る。
【００８８】
[0099]ＬＴＥなどの通信ネットワークは、周波数分割多重化（ＦＤＭ）インプリメンテーション（implementations）および時分割多重化（ＴＤＭ）インプリメンテーションを有し得る。ＦＤＭインプリメンテーションにおける共有オプションは、異なるアンテナを実際に共有しているのではなく、アンテナを介して受信された周波数スペクトルを共有するのである。たとえば、ＵＥは、異なるエアインターフェースに対してすべてのアンテナを同時に使用するためにダイプレクサ／スイッチを使用し得る。ダイプレクサ／スイッチは、不要な周波数をフィルタリングで除去することによってフィルタとして働く。しかしながら、そのようなＦＤＭ共有方式では、一般的に、信号がフィルタリングされるときに信号強度においてかなりの損失が存在する。そのような損失はまた、周波数帯域が高くなるにつれて増加し得る。ＴＤＭインプリメンテーションは、実際には、各エアインターフェース／技術に対して別個のアンテナを使用するかまたは割り当てることができる。したがって、そのようなエアインターフェース／技術を介する通信が使用されないとき、使用されない通信に対して割り当てられたかまたは指定されたそのようなアンテナが、他のエアインターフェース／技術と共有され得る。本開示の様々な態様は、ＴＤＭインプリメンテーションを使用する通信システムを対象とする。
【００８９】
[00100]ＵＥがまったく初めて、またはかなりの期間の間オフであった後に最初にオンに切り替えられたとき、ＵＥは、ネットワークの探索を開始することになる。ＵＥ（ユーザ機器）が接続し得る、無線で利用可能な異なる事業者からの、多くのネットワークが存在する、または言い換えれば多くの周波数が存在する、多くの可能なネットワークが存在する。したがって、ＵＥは各周波数と同期をとり、これが、ＵＥが接続を欲している正しい事業者からの周波数であるかどうかを検査する。ＵＥは、まったく初期の同期プロセスを調べること（going through）によってこれを行う。同期されると、ＵＥは、これが正しいＰＬＭＮであるかどうかを検査するために、マスタ情報ブロックとシステム情報ブロックとを読み取る。ＰＬＭＮ値が正しいとして示されると、ＵＥは、システム情報ブロック１およびシステム情報ブロック２を読み取ることを続行する。次のステップは、ランダムアクセス手順として知られ、そこにおいて、ネットワークは初めて、いくつかのＵＥがアクセスを得ようとしていることを知る。
【００９０】
[00101]この段階において、ＵＥは、ネットワークに接続したいというＵＥの要望についてネットワークに知らせるために利用可能なリソースまたはチャネルを持たず、それゆえＵＥは、ＵＥの要求を共有媒体を介して送ることになる。ここで、２つの可能性がこの段階において存在し、いずれも、同じエリア（同じセル）内で同じ要求を送っている多くの他のＵＥが存在し、そこにおいて同じく、様々な他のＵＥから到来する要求の間に衝突する可能性が存在する。そのようなランダムアクセス手順は、競合ベースのランダムアクセス手順と呼ばれる。第２のシナリオでは、ネットワークは、ＵＥの要求が他のＵＥから到来する要求と衝突することを防止するために、何らかの一意の識別情報（identity）を使用することをＵＥに通知することができる。第２のシナリオは、フリーの（free）、または非競合ベースのランダムアクセス手順と呼ばれる。
【００９１】
[00102]ＬＴＥ  Ｒｅｌ．８ランダムアクセス（ＲＡ）手順は、一般に、４つのメッセージ送信（ＵＥから２つおよびｅＮＢから２つ）を含む。４つのメッセージは、一般に、メッセージ１、メッセージ２、メッセージ３およびメッセージ４と呼ばれる。スタンドアロン（ＳＡ）モードで構成された競合ベースのスペクトルを有するＬＴＥ／ＬＴＥ−Ａでは、４メッセージ手順は、４つまでのＣＣＡクリアランスを伴い、したがってメッセージの数を低減することが望ましい。したがって、競合ベースのスペクトルを有するＬＴＥ／ＬＴＥ−Ａでは、２メッセージ手順が採用される。競合ベースのスペクトルを含むそのようなＬＴＥ／ＬＴＥ−Ａ通信システムにおける小さいセルサイズによって、ｅＰＲＡＣＨはＴＡ（タイミングアドバンス）のために使用されないことがある。なぜならば、タイミングオフセットは、一般的にサイクリックプレフィックス範囲内にあるからである。しかしながら、ｅＰＲＡＣＨは、呼設定（call setup）、ＨＯ（ハンドオフ）またはＲＬＦ（無線リンク障害）を実行するためにレガシーメッセージ１および３の組み合わされた情報を搬送するために使用され得る。また、それは、さらなるアップリンクメッセージ統合（consolidation）のためにＢＳＲ（バッファステータス報告）を通してＵＬスケジューリング要求を実行し得る。
【００９２】
[00103]スタンドアロンモードにおける間に競合ベースの共有スペクトルによって拡張されたＬＴＥ／ＬＴＥ−Ａ通信システムに対する新しいｅＰＲＡＣＨ設計は、ｅＰＲＡＣＨ手順への変更をプロンプトし得る。たとえば、ｅＰＲＡＣＨリソースの場合、ｅＰＲＡＣＨは、十分な帯域幅占有要件（たとえば、利用可能な周波数帯域幅の少なくとも８０％を占有すること）を満たすために、ｅＰＵＳＣＨおよびｅＰＵＣＣＨにおいて使用されるのと同じ方法でアップリンク周波数領域リソースインターレースを使用する。したがって、各ｅＰＲＡＣＨは、一般に、１０ＲＢからなり、１ｍｓの持続時間を占有する１つのインターレースを使用する。各ｅＰＲＡＣＨは、ＲＢ当たり単一のサイクリックシフトを割り振られる。
【００９３】
[00104]ｅＰＲＡＣＨ機会は、ＵＥが、ｅＰＲＡＣＨを送信することを許可される特定のサブフレームを定義する。最も一般的に使用されるタイプ１ ｅＰＲＡＣＨ機会は、Ｄ−ＣＵＢＳ／ＰＦＦＩＣＨが検出されたときのバーチャルＬＢＴフレームのアップリンクサブフレームである。タイプ１ ｅＰＲＡＣＨ機会は、ｅＮＢならびにＵＥにおいてＣＣＡクリアランスに左右される。第１のアップリンクサブフレームは、一般にタイプ１ ｅＰＲＡＣＨに対して選択される。ｅＰＲＡＣＨに対する新しい設計では、物理チャネルはまた、単一のテールバイティング（tailbiting）畳込みコード（ＴＢＣＣ）エンコーダを用いるｅＰＵＣＣＨに基づくＰＵＣＣＨフォーマット２物理チャネルと同様の方法で再設計され得る。この再設計された物理チャネルは、複数のユーザがｅＰＲＡＣＨリソースならびに搬送するかなりのペイロードサイズを共有することを可能にする。したがって、ｅＰＲＡＣＨペイロード長さおよびコンテンツは、最大ペイロードサイズを増大させるように修正され得る。たとえば、ｅＰＲＡＣＨペイロードのサイズまたは長さは、２００コード化ビット（たとえば、２０（ＲＢ当たりＰＵＣＣＨフォーマット２）×１０（インターレース当たりＲＢ）＝２００）までの新しい最大値を含み得る。そのようなコーディングレートは、多様なＴＢＣＣ符号化または他の様々なコーディングレートを使用して達成され得る。
【００９４】
[00105]ｅＰＲＡＣＨ信号は多様な異なる理由またはＵＥステータスに対して開始され得るので、第１のメッセージの実際のペイロード長さは変化する。たとえば、可変メッセージ１に対するｅＰＲＡＣＨペイロード長さは、以下のうちのいずれかを含み得る。呼設定に対して：媒体アクセス制御（ＭＡＣ）ヘッダ（１バイト）＋無線リソース制御（ＲＲＣ）接続要求メッセージ（６バイト）＝７バイト、無線リンク障害（ＲＬＦ）に対して：ＭＡＣヘッダ（１バイト）＋ＲＲＣ接続再確立要求メッセージ（６バイト）＝７バイト、ハンドオーバに対して：ＭＡＣヘッダ（２バイト）＋ＭＡＣ制御要素（ＣＥ）セル無線ネットワーク一時識別子（ＣＲＮＴＩ）（２バイト）＋ＲＲＣ接続再構成完了メッセージ（２バイト）＝６バイト、アップリンクスケジューリング要求（ＳＲ）に対して：ＭＡＣヘッダ（２バイト）＋ＭＡＣ  ＣＥ（ＣＲＮＴＩ）（２）＋ＢＳＲ（１または３バイト）＝５または７バイト。１６ビットサイクリック冗長検査（ＣＲＣ）を追加した後、一般に、最も低いコーディングレートは、ほぼ（approximately）、７２／２００＝０．３６のレートという結果となる。
【００９５】
[00106]ＵＥは、ランダムアクセス手順の前に、まだ、基地局との第１の接続を確立しなければならないので、どのＵＥがランダムアクセスを実行しているのかを識別するために、一時識別子が使用され得る。ランダムアクセスを実行しているＵＥは、メッセージ１を通してランダムアクセス手順を開始するとき、ランダムアクセス（ＲＡ）−ＲＮＴＩを使用することになる。しかしながら、ＲＡ−ＲＮＴＩは、ＵＥによって選択および送信された値ではなく、代わりに、ＵＥによって使用される時間周波数リソースに基づいてｅＮＢがランダムアクセスメッセージを受信することによって決定される。時間周波数リソースは、ランダムアクセスプリアンブルが送られるタイムスロット番号（time slot number）（たとえば、サブフレーム番号（subframe number））と周波数インターレース（たとえば、ＴＤＤモードにおける６つの可能な周波数インターレースおよびＦＤＤにおける１つだけの可能な周波数インターレース）とを含み得る。一般に、ＲＡ−ＲＮＴＩは、下式に従って決定される。
ＲＡ−ＲＮＴＩ＝１＋ｔid＋１０＊ｆid            （１）
ここでｔidは、一般的に０と９との間の範囲内のサブフレーム番号であり、ｆidは、ＴＤＤモードで使用されるとき、一般的に０と５との間の範囲内のインターレース選択であり、またはＦＤＤモードで使用されるとき、０のインターレース選択である。ＵＥは、６４個の利用可能なプリアンブルのうちの１つのプリアンブルを取り上げ、そのプリアンブルを特定のサブフレームｔidおよびインターレースｆidにおいてメッセージ１内で送ることができる。基地局は、受信されたメッセージ１のプリアンブルを検出すると、基地局は、ＵＥからのプリアンブルの受信を肯定応答するために、ＲＡ−ＲＮＴＩを計算し、ＲＡ−ＲＮＴＩを使用してメッセージ２内のそれのランダムアクセス応答メッセージをコーディングすることになる。
【００９６】
[00107]６４までのランダムアクセスプリアンブルがある。プリアンブルインデックスは、ランダムアクセス応答（ＲＡＲ）のために６ビットのＭＡＣペイロードを使用して送られ得る。また、複数のプリアンブルが、同じメッセージ２内のＲＡＲに対して、応答する基地局から送られ得る。ＵＥが同じＲＡ−ＲＮＴＩを使用してメッセージ２を受信するとき、プリアンブルが一致すれば、ＵＥは、競合解消のためにランダムアクセス手順のメッセージ３に進むことになる。ＵＥがメッセージ１を送ると、ＵＥは、所定のＲＡＲウインドウの中でメッセージ２を受信しなければならない。例示的なインプリメンテーションでは、ＲＡＲウインドウは、ネットワークの構成に依存して、１０ｍｓ未満であり得、４０ｍｓまでであり得る。
【００９７】
[00108]競合ベースの共有周波数スペクトルに拡張されたＬＴＥ／ＬＴＥ−Ａ通信システムでは、利用可能なスペクトルに対する競合は、しばしば、レガシーＷｉＦｉデバイスに対して発生することになる。レガシーＷｉＦｉデバイスとの共存を円滑にするために、そのような拡張ＬＴＥ／ＬＴＥ−Ａ通信システムのＵＥおよび基地局によって送信されるチャネル予約信号は、デュアルＷｉＦｉ−ＬＴＥ／ＬＴＥ−Ａ復号に対して特別に構成された広帯域ＣＵＢＳ（Ｗ−ＣＵＢＳ）を含み得る。Ｗ−ＣＵＢＳフォーマットは、ＩＥＥＥ８０２．１１準拠ＣＴＳ−ｔｏ−Ｓｅｌｆパケットに対応するように選択され得る。８０２．１１準拠ＣＴＳ−ｔｏ−Ｓｅｌｆ信号は、ブロードキャストタイプのメカニズムにおいて、ＷｉＦｉデバイスが送信可（ＣＴＳ）メッセージをそれ自体に送ることを可能にする。それは、異なるＷｉＦｉ技術が存在する混合モード環境における保護メカニズムである。また、ＣＴＳ−ｔｏ−Ｓｅｌｆメッセージは、ネットワークがＣＴＳ−ｔｏ−Ｓｅｌｆデバイスの送信側によって占有される時間についての情報を含む。したがって、他のＷｉＦｉデバイスは、ネットワーク使用についてのこの情報を受信できることになる。したがって、Ｗ−ＣＵＢＳの構成は、競合ベースの共有周波数上で動作するＬＴＥ／ＬＴＥ−Ａデバイスが、ＬＴＥ／ＬＴＥ−ＡとＷｉＦｉ受信機とを含む共有リソースに対して競合するすべての準拠デバイスによって消費され得る、ネットワークが占有する時間の量についての情報を送ることを可能にする。Ｗ−ＣＵＢＳ発信元（originator）の識別情報に基づいて、異なるアクションが受信側において企図され得る。
【００９８】
[00109]再び図３を参照すると、複数のＵＥが同じ基地局によってサービスされるシナリオでは、１つのＵＥがＥＣＣＡ／ＣＣＡを最初にクリアし、他のＵＥのうちのいずれかがＥＣＣＡ／ＣＣＡをクリアする前にＳサブフレーム３３０においてＵ−ＣＵＢＳの送信を開始する場合、第１のＵＥがＵ−ＣＵＢＳを送信している間、それらのＥＣＣＡ／ＣＣＡはパス（pass）しないので、他のＵＥは、アップリンク送信をブロックされることになる。この状況を回避するために、本開示の態様は、同じカバレージエリア内でサービスされる複数のＵＥからのＵ−ＣＵＢＳ送信を同期させるように動作する。
【００９９】
[00110]図７は、本開示の一態様をインプリメントするために実行される例示的なブロックを示すブロック図である。ブロック７００において、ＵＥ１１５などのＵＥは、それが、競合ベースの送信帯域上の通信に対して利用可能なデータを有していると決定する。なぜならば、ＵＥは、通信されるべきデータを検出または生成するからである。ＵＥは、競合ベースのチャネルを予約するためにＥＣＣＡプロセスの一部としてランダムな数のＣＣＡ検査を実行し得る。
【０１００】
[00111]ブロック７０１において、ＵＥは、競合ベースのチャネル上で成功したＥＣＣＡを検出する。成功したＥＣＣＡが検出されると、ブロック７０２において、ＵＥは、成功したＥＣＣＡの検出時にアップリンク再同期境界が到達されたかどうかを決定する。アップリンク再同期境界は、アップリンク送信を適時に同期させ、ＦＤＭスケジューリングが適用され得るように他の共同でスケジューリングされた（co-scheduled）ＵＥにおけるＥＣＣＡ手順を、１つのＵＥのアップリンク送信がブロックするのを防止するために使用される。一般的な再同期境界は、以下の式に従って設定され得る。
Ｎ（ｒ，ｓ）＋ε            （２）
ここでＮ（ｒ，ｓ）は１とＱとの間の擬似乱数であり、ＥＣＣＡ手順を遂行するために実行されるＣＣＡ検査の数に対応する。Ｑは、両端を含む４と３２との間の選択された数であるパラメータｑの選択された値である。パラメータｑは、最大チャネル占有時間（１３／３２×ｑ  ｍｓ）の決定に使用される。Ｑに対する値は、ライセンスされていない周波数帯域を含む競合ベースの共有スペクトルに対して構成されたシステム内で最小チャネル占有要件を満足するために選択され得る。そのような競合ベースのシステムの企図された動作では、各ＣＣＡ検査は２０μｓかかる。Ｑが２５であるように選択することは、成功したＥＣＣＡ手順に対して０．５ｍｓ（２５×２０μｓ）のチャネル占有時間をもたらす。最大ＬＢＴフレーム長さが１０ｍｓであることを考慮すると、０．５／１０ｍｓ＝５％の占有となり、これは、ライセンスされていないスペクトルのチャネルアイドル時間要件を満足する。１とＱとの間のＮ（ｒ，ｓ）の擬似ランダム選択は、システムフレーム数（ＳＦＮ：system frame number）に対応する無線フレーム数ｒと、サブフレーム数ｓとの関数に基づく。追加のパラメータεは、送信されるべきＷｉＦｉ肯定応答パケットをすべてウッドする追加の事前構成されたオーバーヘッド時間を表す。ε≧０。
【０１０１】
[00112]再同期境界位置は、保証されたＣＵＢＳ境界と等しいかまたはそれより前のいずれかの境界に配置する式（２）に従って計算され得る。保証されたＣＵＢＳ境界は、任意のアップリンクチャネル（たとえば、ｅＰＲＡＣＨ、ｅＰＵＣＣＨ、ｅＰＵＳＣＨ、など）が次のアップリンクサブフレーム上で送信される前に、サブフレーム上で送信され得るＵ−ＣＵＢＳの最小持続時間である。一般的な再同期境界は、Ｕ−ＣＵＢＳが次のアップリンクチャネルの復調基準信号（ＤＭ−ＲＳ）を使用し、復号を助けるために使用され場合、ＵＥが、最近接シンボル境界＋１つのＵ−ＣＵＢＳ（１シンボル）でアラインする（align with）ために、Ｗ−ＣＵＢＳ（ｘμｓ、たとえば、ｘ＝４４μｓ）＋最小数の特別なＵ−ＣＵＢＳ（ＳＵ−ＣＵＢＳ）を送信することができるように決定され得る。代替として、再同期境界は、Ｕ−ＣＵＢＳが基地局によって使用されない場合、ＵＥが、最近接（closest）シンボル境界でアラインするために、Ｗ−ＣＵＢＳ（ｘμｓ、たとえば、ｘ＝４０μｓ）＋最小数のＳＵ−ＣＵＢＳを送信することができるように決定され得る。
【０１０２】
[00113]ブロック７０３において、成功したＥＣＣＡが検出されたときに再同期境界が到達されていないとＵＥが決定した場合、ＵＥは、再同期境界までアイドル状態にとどまることになる。ＵＥは、ブロック７０４において、再同期境界が到達されたときにＣＣＡ検査を実行し、ブロック７０５において、クリアな（clear）ＣＣＡ検査を検出したことに応答してチャネル予約信号を送信する。
【０１０３】
[00114]ブロック７０２において、成功したＥＣＣＡが再同期境界の後で検出されたことをＵＥが検出した場合、ブロック７０３において、ＵＥは、成功したＥＣＣＡが保証されたＣＵＢＳ境界の上またはその前で検出されたかどうかの決定を実行する。成功したＥＣＣＡが保証されたＣＵＢＳ境界の後で検出された場合、ブロック７０７において、ＵＥは、次のアップリンクサブフレームの間、アップリンク送信を控えることになる。そうでない場合、ＥＣＣＡが、再同期境界の後で成功したが、保証されたＣＵＢＳ境界の上または前で成功した場合、ブロック７０８において、ＵＥは、成功したＥＣＣＡが検出されるとすぐにチャネル予約信号を送信することになる。ブロック７０５および７０８において送信されるチャネル予約信号は、上述のように、１つのタイプのＣＵＢＳ、またはＷ−ＣＵＢＳ＋ＳＵ−ＣＵＢＳ＋Ｕ−ＣＵＢＳ、またはＷ−ＣＵＢＳ＋ＳＵ−ＣＵＢＳなど、異なるＣＵＢＳのシーケンスであり得る。
【０１０４】
[00115]図８は、本開示の態様に従って構成されたＵＥ８００〜８０２を示すブロック図である。ＵＥ８００〜８０２は、同じ基地局（図示されていないが、基地局１０５と同様に構成され得る）によってサービスされ、それぞれ、競合ベースの共有周波数スペクトルにおいて通信に関与する。ＵＥ８００〜８０２は、それぞれ、アップリンク送信に対するデータを識別し、ＥＣＣＡプロセスに関与する。基地局とＵＥ８００〜８０２との間の通信の送信フレーム内のサブフレームＳ８０は、ダウンリンク部ＤｗＰＴＳ８１と、ガード期間ＧＰ８２と、アップリンク部ＵｐＰＴＳ８３とを含む。アップリンク再同期境界８０３はＵｐＰＴＳ８３内で設定されているが、保証されたＣＵＢＳ境界は８０４において存在するように決定される。
【０１０５】
[00116]ＵＥ８００は、ＧＰ８２の間に成功したＥＣＣＡプロセスを検出する。再同期境界８０３はまだ発生されていないので、ＵＥ８００は、再同期境界８０３に到達するまでアイドル状態にとどまる。次いで、ＵＥ８００は、Ｓサブフレーム８０のＵｐＰＴＳ８３の残りに対してＣＵＢＳを送信する前にＣＣＡ検査を実行することになる。ＵＥ８００は、それがクリアなＣＣＡ検査を検出した場合、ＣＵＢＳだけを送信することになる。
【０１０６】
[00117]ＵＥ８０１は、ＵｐＰＴＳ８３の間に成功したＥＣＣＡプロセスを検出する。ＵＥ８０１は、成功したＥＣＣＡが、再同期境界８０３の後であるが、保証されたＣＵＢＳ境界８０４の前に発生したと決定する。このポジショニングのため、ＵＥ８０１は、成功したＥＣＣＡプロセスを検出した後すぐに、ＵｐＰＴＳ８３内でＣＵＢＳの送信を開始する。
【０１０７】
[00118]また、ＵＥ８０２は、ＵｐＰＴＳ８３の間に成功したＥＣＣＡプロセスを検出する。しかしながら、ＵＥ８０１は、成功したＥＣＣＡが、再同期境界８０３の後および保証されたＣＵＢＳ境界８０４の後の両方に発生したと決定する。保証されたＣＵＢＳ境界８０４後に成功したＣＵＢＳを送信するために十分な時間はないので、ＵＥ８０１は、次のアップリンクサブフレーム内でのアップリンク送信することを控えることになる。
【０１０８】
[00119]再同期境界８０３は、式（２）に従って決定され得る。しかしながら、上述のように、再同期境界８０３の一般的な配置は、保証されたＣＵＢＳ境界８０４の上または前にある再同期境界ウインドウ８０５内で発生し得る。様々なインプリメンテーションおよび例示的なインスタンスは、ネットワークの構成および送信フレーム（たとえば、現在の送信のＳＦＮおよびサブフレーム数）内の送信のロケーションに依存して再同期境界ウインドウ８０５内の任意のポイントに再同期境界８０３を配置することができる。
【０１０９】
[00120]競合ベースの共有周波数スペクトル内でｅＰＲＡＣＨ手順を実施するとき、ＬＢＴフレーム内のｅＰＲＡＣＨ機会は、基地局のアクティビティならびに基地局とＵＥの両方におけるＣＣＡクリアランスに依存する。基地局がダウンリンク／アップリンクトラフィックの欠乏によってアイドル状態である場合、ＬＢＴフレームがない時間期間が存在し得る。その上、ＣＣＡクリアランス時間が、基地局またはＵＥのいずれかにおいて問題となる場合、ＬＢＴフレーム内の一般的なスケジュールされたｅＰＲＡＣＨ機会もまた使用され得ず、そのことが、ランダムアクセスまたはアップリンクスケジューリングにおける遅延を生じさせる場合がある。
【０１１０】
[00121]本開示の様々な追加の態様は、２つの新しいｅＰＲＡＣＨ機会タイプを提供する。ＬＢＴフレームの間にスケジュールされ得る既存のｅＰＲＡＣＨ機会は、タイプ１ ｅＰＲＡＣＨ機会と呼ばれる。第１の新しいタイプ、タイプ２ ｅＰＲＡＣＨ機会は、ＬＢＴフレームがＵＥによって検出され得ないときにｅＰＲＡＣＨ機会として構成され得る。ｅＰＲＡＣＨ機会は、何らかの周期性を伴ってスケジュールされ得る。しかしながら、ＵＥによる送信は、クリアなＣＣＡ検査に依存することになる。したがって、そのようなランダムアクセス信号が送信される周波数は、厳密な周期性より柔軟であり得る。すなわち、ｅＮＢは、ＬＢＴフレームがＵＥによって検出され得ないときに、ＵＥがタイプ２ ｅＰＲＡＣＨを送信するために、周期性と持続時間とを構成することができる。各周期において、構成された持続時間内で、ＵＥがダウンリンクアクティビティを検出しない場合、ＵＥは、それがｅＰＲＡＣＨを送ることになっている場合、ウインドウの中のｅＰＲＡＣＨを送ることを開始し得る。しかしながら、ＵＥが、ウインドウの中の第１のサブフレーム上でＣＣＡ検査を成功裏に実施することに失敗した場合、ＵＥは、ＵＥがウインドウの中のすべてのサブフレームを試行するまで、ウインドウの中の後続のサブフレームについて再び試行し得る。タイプ２ ｅＰＲＡＣＨ機会は、関与する（participating）ＵＥにおいてのみ、ＣＣＡクリアランスに左右される。他の新しいタイプ、タイプ３ ｅＰＲＡＣＨ機会は、ＣＣＡ免除送信（ＣＥＴ）周期性（たとえば、ＣＥＴ周期性は現在８０ｍｓにおいて定義されている）においてアップリンクＣＥＴ（Ｕ−ＣＥＴ）期間の間の送信に対して構成される。タイプ３ ｅＰＲＡＣＨ機会はＵ−ＣＥＴ期間の間に構成されるので、それはＣＣＡ免除である。
【０１１１】
[00122]図９は、本開示の一態様をインプリメントするために実行される例示的なブロックを示すブロック図である。ブロック９００において、ＵＥ１１５などのＵＥは、ダウンリンクアクティビティ信号を監視する。タイプ２ ｅＰＲＡＣＨ機会は、フレームまたは任意の他のダウンリンクアクティビティ信号に対するダウンリンクＣＵＢＳ（Ｄ−ＣＵＢＳ）または物理フレームフォーマットインジケータチャネル（ＰＦＦＩＣＨ）が検出されない場合だけに発生する場合がある。この検出されないダウンリンクアクティビティ信号は、基地局がアイドル状態であること、またはフレームに対して基地局によって送信されたダウンリンクアクティビティ信号の成功していない検出の試みに起因する場合がある。したがって、ランダムアクセス手順がＵＥにおいて考慮されるとき、ＵＥは、少なくともＤ−ＣＵＢＳおよび／またはＰＦＦＩＣＨを含む任意のダウンリンクアクティビティ信号を最初にリッスンし得る。
【０１１２】
[00123]ブロック９０１において、ＵＥは、任意のダウンリンクアクティビティ信号の検出に失敗したこと、またはＵＥが前の機会にＣＣＡ検査を成功裏に実施することに失敗したことに応答して、次のランダムアクセス機会を決定する。タイプ２ ｅＰＲＡＣＨ機会は、アイドル基地局の場合に遅延を軽減するために、ＵＥがＤ−ＣＵＢＳ／ＰＦＦＩＣＨを検出することまたは正確に復号することに失敗したときに使用され得る。タイプ２ ｅＰＲＡＣＨ機会は、物理サブフレームのセット内に周期的に構成され得る。たとえば、タイプ２ ｅＰＲＡＣＨ機会は、以下の条件
Ｍｏｄ（ｓｆｉ＋１０＊Ｎf，ＭePRACH,Type2）＝ＯePRACH,Type2            （３）
を満足するサブフレームのセットに対して構成され得、
ここでＮfは物理システムフレーム数（ＳＦＮ）を表し、ｓｆｉは物理サブフレームインデックスを表し、ＭePRACH,Type2は、ｅＳＩＢ１内でブロードキャストされ得るタイプ２ ｅＰＲＡＣＨ機会の周期性を表す。タイプ２ ｅＰＲＡＣＨ機会の周期性に対する値の例示的な範囲は、１、２、５、１０、２０、４０ｍｓなどを含み得る。ＯePRACH,Type2は、サブフレームオフセットを表す。周期的なタイプ２ ｅＰＲＡＣＨ機会の周期性はＳＩＢメッセージ内でブロードキャストされ得るので、ＵＥは、タイプ２ ｅＰＲＡＣＨ機会を決定することができる。
【０１１３】
[00124]ブロック９０２において、ＵＥは、ＣＣＡ検査を実行し、次のランダムアクセス機会の前に成功したＣＣＡを検出する。クリアなＣＣＡ検査に応答して、ブロック９０３において、ＵＥは、次のランダムアクセス機会においてランダムアクセス信号を送信する。
【０１１４】
[00125]図１０は、本開示の一態様に従って構成されたＵＥ１００１を伴う通信ストリーム１０００を示すブロック図である。サブフレームｎ（ｎ＝ｓｆｉ＋１０＊ｓｆｎ）内のタイプ２ ｅＰＲＡＣＨ機会は、さらに、サブフレームｎ−２、ｎ−３、．．．、およびｎ−１０内のＤ−ＣＵＢＳ／ＰＦＦＩＣＨの検出にＵＥ１００１が失敗することに左右される。その上、ＵＥは、式（３）を満足するサブフレームｎに対してタイプ２ ｅＰＲＡＣＨ再同期境界１００２においてまたはその前に成功したＥＣＣＡ／ＣＣＡを検出すべきである。これらの条件がいずれも満足されない場合、対応するタイプ２ ｅＰＲＡＣＨ機会は満了する。
【０１１５】
[00126]ＵＥ１００１などのＵＥは、ダウンリンクおよびアップリンクの送信を同時に処理することはできない。したがって、ＵＥ１００１がサブフレームｎ内のタイプ２ ｅＰＲＡＣＨ送信を送信しようと試行する場合、ＵＥ１００１は、サブフレームｎ−１またはｎの中のＤ−ＣＵＢＳまたは他のダウンリンク送信を失う（miss）ことがある。ＵＥ１００１のＵ−ＣＵＢＳおよびｅＰＲＡＣＨ送信は、基地局のＤ−ＣＵＢＳおよび／または基地局１０５などからの他のダウンリンク送信と衝突することがある。しかしながら、そのような衝突の可能性は非常に低いことに留意されたい。加えて、ＵＥ１００１は、次のＬＢＴフレーム内で回復する可能性がある。ＵＥ１００１がサブフレームｎ−２内でＤ−ＣＵＢＳを検出する場合、サブフレームｎにおけるタイプ２ ｅＰＲＡＣＨ機会はまた、基地局からのダウンリンク送信との衝突を回避するために満了することになる。そのような事例では、Ｄ−ＣＵＢＳの検出が、基地局のアクティビティを示すとき、したがってＬＢＴフレームを示すとき、ＵＥ１００１は、ＬＢＴフレーム内の次のスケジュールされたｅＰＲＡＣＨ機会を使用する。
【０１１６】
[00127]本開示の様々な態様では、ＵＥが高速ターンアラウンドタイムラインを有する場合、ＵＥは、サブフレームｎ−１においてダウンリンク信号を検出し、サブフレームｎがｅＰＲＡＣＨ送信に使用され得るかどうかを決定することを試行することさえもできることに留意されたい。
【０１１７】
[00128]図１０に示すように、サブフレームｎはタイプ２ ｅＰＲＡＣＨ機会である。再同期境界１００２はサブフレームｎ−１に位置する。いくつかの例示的な態様では、タイプ２ ｅＰＲＡＣＨ機会に対する再同期境界１００２は、アップリンクとダウンリンクとの間の衝突が発生する場合、基地局がチャネルを予約することに対してより高い優先度を可能にするために、保証されたＣＵＢＳ境界において設定され得る。保証されたＣＵＢＳ境界において再同期境界を設定することに起因する、再同期境界１００２に対する追加の時間は、サブフレームｎ−１内でＤ−ＣＵＢＳ／ＰＦＦＩＣＨ検出に関与する処理時間が完了されることを可能にする。したがって、ＵＥがｅＰＲＡＣＨプロセスを通してチャネルを予約する前に、Ｄ−ＣＵＢＳを実際に検出するより多くの機会が存在する。しかしながら、基地局がチャネルを予約するための優先度を増大させることの副作用（a side effect）は、ＷｉＦｉがチャネルを予約するための優先度が同様に増大されることである。
【０１１８】
[00129]ＵＥ１００１がチャネルを予約する機会を増大させるための１つの代替案は、タイプ２機会周期性Ｍに対してより小さい値を設定することであることを留意されたい。増大された周期性は、ＵＥ１００１が選択するためにより多くのタイプ２ ｅＰＲＡＣＨ機会を提供する。別の代替態様では、タイプ２ ｅＰＲＡＣＨ再同期境界は、ＵＥに対して他のものよりアグレッシブになり得る。なぜならば、それは、データの前方にあり得る制御チャネルであるからである。そのような場合、ＵＥは、ｎ−２とｎ−１の両方に対してＤ−ＣＵＢＳ／ＰＦＦＩＣＨ復号タスクをスキップすることができる。次いで、再同期境界をできるだけ早く設定し、Ｎ（ｒ，ｓ）は制御のためであるのでＮ（ｒ，ｓ）を無視する。
【０１１９】
[00130]アイドルとして検出されたチャネルがアイドルであるのは、単に基地局がチャネルを成功裏に予約できなかったためでなく、基地局が実際にアイドルであるためであることを確実にするために、ダウンリンクアクティビティ信号が検出され得るサブフレームの範囲の提供が、選択され得る。そのような態様では、ＵＥがダウンリンクアクティビティ信号を検出するために試行し得るフレームの範囲は、ｎ−Ｍとｎ−２との間の範囲として選択され得、ここでＭは、Ｎ≦Ｍ≦（最大ＬＢＴフレーム長さ＋Ｎ）の関係を満足する所定の定数であり、ＮはＵＥ処理タイムラインに依存する。Ｍの選択は、ＵＥがチャネルを予約し得る前に、ＵＥがＥＣＣＡ／ＣＣＡを維持することになるサブフレームの数の統計に基づき得る。ターンアラウンドタイムがＮであると仮定すると、Ｎ個のサブフレーム内で、ＵＥは、サブフレームｎ−Ｎまではダウンリンク送信はないと決定し、ＣＣＡ検査を実行し、ＰＲＡＣＨ信号生成を準備し、それに応じて送信を開始することができる。ＵＥは、Ｎ個のサブフレームの中で開始するダウンリンクアクティビティを検出することはできない。したがって、ＵＥが検出し得る最新のダウンリンクアクティビティは、サブフレームｎ−（Ｎ＋１）上のアクティビティである。ｅＮＢが、それらのＮ個のサブフレームの間にダウンリンク信号を実際に送ることは可能である。これは、ｅＮＢがチャネルまたは媒体を成功裏に確保することができないときの事例であり、そのような場合、ｅＮＢは、チャネルを予約してあらゆるサブフレームを送信することを試行する。その結果、ＵＥは、ダウンリンク送信を失う場合があるかまたはアップリンク送信とダウンリンク送信との間の衝突が存在する場合がある。このために、ＵＥは、サブフレームｎ−Ｋからサブフレームｎ−Ｎまでのダウンリンクアクティビティを監視し、次いで、サブフレームｎ−（Ｎ＋１）上のダウンリンクアクティビティのみに基づいて単に決定を下すのではなく、サブフレームｎ−Ｋからサブフレームｎ−Ｎまでのすべてのサブフレーム内にダウンリンクアクティビティが存在しない場合に送信することができる。一方、はるかに大きいＭは、送信できる前に比較的長時間の間占有されなかったチャネルまたは送信媒体を、ＵＥが観察しようとしていることを示唆しており、それは、ＵＥのＰＲＡＣＨ送信確率を引き下げる。Ｍが（最大ＬＢＴフレーム長さ＋Ｎ）に等しく選択される場合、それは、ＵＥがＰＲＡＣＨ送信を準備し始める前に、ｅＮＢが最大ＬＢＴ持続時間全体に対してダウンリンク信号を送信しなかったことをＵＥが観察したことを意味する。最大ＬＢＴ持続時間全体の間にｅＮＢがチャネルを予約できない可能性ははるかに小さく、したがって、最大ＬＢＴ持続時間は、Ｍに対する上限として使用され得る。最大ＬＢＴフレーム長さは、一般的に、ｅＮＢが媒体にアクセスするために使用される最大乱数に基づく。代替として、それは、３ＧＰＰ（たとえば、８ｍｓ）またはＥＴＳＩ（たとえば、６ｍｓ）など、異なる規格によって指定され得る。
【０１２０】
[00131]図１１は、本開示の一態様に従って構成されたＵＥ１００１を伴う通信ストリーム１１００を示すブロック図である。図１１に示される例示的なインスタンスでは、ＵＥ１００１のＣＣＡ試行は、再同期境界１００２の直前で失敗する。ＵＥ１００１は、再同期境界１００２の前に成功したＣＣＡ試行を持たないので、サブフレームｎにおけるタイプ２ ｅＰＲＡＣＨ機会は満了する。
【０１２１】
[00132]図１２は、本開示の一態様をインプリメントするために実行される例示的なブロックを示すブロック図である。ブロック１２００において、ＵＥ１１５などのＵＥは、ＬＢＴフレームを示す基地局１０５など、サービング基地局からの任意のダウンリンクアクティビティ信号を監視する。上述のように、使用のためのｅＰＲＡＣＨ機会のタイプは、サービング基地局のアクティビティによって、したがってＬＢＴフレームが存在するかまたはＵＥによって検出され得るかどうかによって、影響を受ける。したがって、ＵＥは、ＬＢＴフレームを示すダウンリンクアクティビティ信号を監視する。
【０１２２】
[00133]ブロック１２０１において、ＬＢＴフレームが検出されるかどうかの決定が行われる。ＬＢＴフレームが検出された場合、ブロック１２０２において、ＵＥは、ＬＢＴフレームの間にスケジュールされたようにタイプ１ ｅＰＲＡＣＨ機会を使用し得る。しかしながら、ＬＢＴフレームがＵＥによって検出されない場合、ＵＥは、ブロック１２０３において次のスケジュールされたＵ−ＣＥＴを決定する。次のＵ−ＣＥＴが発生すると、ブロック１２０４において、ＵＥはランダムアクセス信号を送信する。ＵＥはＵ−ＣＥＴの間にこのランダムアクセス信号を送信しているので、ＣＣＡ検査は、ランダムアクセス信号を送信する前にＵＥによって実行される必要はない。
【０１２３】
[00134]また、ｅＰＲＡＣＨに対するランダムアクセスメッセージを送信するためのＵ−ＣＥＴ機会は、タイプ３ ｅＰＲＡＣＨ機会と呼ばれることがある。それは、ランダムアクセス手順とスケジューリング要求ベースのｅＰＲＡＣＨ手順の両方に対してＵ−ＣＥＴ機会上のｅＰＲＡＣＨ送信を保証する。Ｕ−ＣＥＴスケジュールは、ｅＳＩＢ１などのシステムブロードキャスト信号内で基地局によって広告され得、現在、８０ｍｓ周期性を有するように構成される。Ｕ−ＣＥＴの長い周期性のため、タイプ３ ｅＰＲＡＣＨ手順は、しばしば、著しい遅延を経験することになる。その上、Ｕ−ＣＥＴ機会は様々な他のノードからの送信を含む場合があるので、タイプ１ ｅＰＲＡＣＨ機会およびタイプ２ ｅＰＲＡＣＨ機会よりはるかに強い干渉が存在する場合がある。したがって、送信がタイプ３ ｅＰＲＡＣＨ  Ｕ−ＣＥＴ送信機会の間に保証され得る間、潜在的干渉のために、ｅＰＲＡＣＨ送信の成功した受信は保証され得ない。加えて、Ｕ−ＣＥＴの間の他の送信と同様に、この機会に対する電力制御は信頼できない場合がある。
【０１２４】
[00135]ＬＢＴフレームでは、アップリンクサブフレームは、一般に、ダウンリンクサブフレームより先のオフセット（たとえば、Ｎ＿ＴＡ＿ＯＦＦＳＥＴ〜２０μｓ）であることに留意されるべきである。したがって、Ｕ−ＣＥＴは、ダウンリンクまたはＳサブフレーム（Ｓサブフレームはダウンリンクからアップリンクに遷移する）と重複すべきではない。しかしながら、Ｕ−ＣＥＴは、アップリンクまたはＳ’サブフレーム（Ｓ’サブフレームはアップリンクからダウンリンクに遷移する）と重複し得る。基地局は、一般に、Ｕ−ＣＥＴの監視を継続することになり、それがＬＢＴアップリンクサブフレーム内にある場合、おそらく、他のＵＥのアップリンクチャネルを一緒に監視する。ＬＢＴフレームがない場合、Ｕ−ＣＥＴは、任意のサブフレームと重複することができる。
【０１２５】
[00136]ＵＥによって要求されるランダムアクセスまたはスケジューリング要求がないとき、ＵＥは、Ｕ−ＣＥＴにおいてタイプ３ ｅＰＲＡＣＨ機会をスキップし得ることを、さらに留意されるべきである。バーチャルＬＢＴフレームが検出されないとき、およびＵＥがＵ−ＣＥＴの間にタイプ３ ｅＰＲＡＣＨ機会内のｅＰＲＡＣＨを送るときの例示的な動作では、ＵＥは、フレームに対するＳ’サブフレームに対する探索をスキップし得る。
【０１２６】
[00137]図１３は、本開示の一態様をインプリメントするために実行される例示的なブロックを示すブロック図である。ブロック１３００において、ＵＥ１１５などのＵＥは、ＬＢＴフレームを示すダウンリンクアクティビティ信号を監視する。上述のように、使用のためのｅＰＲＡＣＨ機会のタイプは、サービング基地局のアクティビティによって、したがってＬＢＴフレームが存在するかまたはＵＥによって検出され得るかどうかによって、影響を受ける。したがって、ＵＥは、ＬＢＴフレームを示すダウンリンクアクティビティ信号を監視する。
【０１２７】
[00138]ブロック１３０１において、ＬＢＴフレームがダウンリンクアクティビティ信号の検出を通してＵＥによって検出されているかどうかについて、決定がなされる。ＬＢＴフレームが検出されている場合、ブロック１３０２において、次のスケジュールされたランダムアクセス機会（たとえば、タイプ１ ｅＰＲＡＣＨ機会）かまたは次のＵ−ＣＥＴ機会（たとえば、タイプ３ ｅＰＲＡＣＨ機会）のどちらがより早いかについて、決定がなされる。説明された態様では、ＵＥポリシーは、最近接ｅＰＲＡＣＨ機会を選択することである。次のスケジュールされたランダムアクセス機会がより早い場合、ブロック１３０３において、ＵＥは、クリアなＣＣＡ検査を検出したことに応答して、次のスケジュールされたランダムアクセス機会においてランダムアクセス信号を送信する。ＵＥは、タイプ１機会がより早いと決定すると、ＣＣＡ検査を実行する。ＣＣＡ検査がクリアである場合、ランダムアクセス信号が送信される。次のＵ−ＣＥＴがより早い機会である場合、ブロック１３０４において、ＵＥは、Ｕ−ＣＥＴの間にランダムアクセス信号を送信する。送信はＵ−ＣＥＴの間に発生するので、ＵＥによるＣＣＡ検査は不要である。
【０１２８】
[00139]ブロック１３０１における決定に応答して、ＬＢＴフレームが検出されない場合、ブロック１３０５において、次のランダムアクセス機会（たとえば、タイプ２ ｅＰＲＡＣＨ機会）かまたは次のＵ−ＣＥＴ機会（たとえば、タイプ３ ｅＰＲＡＣＨ機会）のどちらがより早いかについての決定が、ＵＥによってなされる。次のＵ−ＣＥＴ機会がより早い場合、ブロック１３０４において、ＵＥは、ＣＣＡ検査を必要とすることなく、Ｕ−ＣＥＴの間にランダムアクセス信号を送信する。そうでなく、次のランダムアクセス機会がより早い場合、ブロック１３０６において、ＵＥは、成功したＣＣＡを検出したことに応答して、次のランダムアクセス機会の間にランダムアクセス信号を送信することになる。タイプ２ ｅＰＲＡＣＨ機会がより早いとＵＥが決定するとき、ＵＥは、ＣＣＡ検査を実行する。ランダムアクセス信号は、ＣＣＡ検査がクリアであると検出された場合に送信される。
【０１２９】
[00140]バーチャルＬＢＴフレーム内でスケジュールされたタイプ１ ｅＰＲＡＣＨ機会とバーチャルＬＢＴフレームが検出されないときにスケジュールされたタイプ２ ｅＰＲＡＣＨ機会とは、相互排他的である。ＵＥがバーチャルＬＢＴフレームを検出した場合、それは、タイプ１ ｅＰＲＡＣＨ機会またはタイプ３ ｅＰＲＡＣＨ機会のいずれかから、どちらが最初に発生したかに応じて選択することになる。タイプ１機会とタイプ３機会とが衝突する場合、ＵＥは、ＥＣＣＡ／ＣＣＡの結果にかかわらず、ｅＰＲＡＣＨを送ることになる。ＵＥがバーチャルＬＢＴフレームを検出しない場合、それは、タイプ２ ｅＰＲＡＣＨ機会またはタイプ３ ｅＰＲＡＣＨ機会のいずれかから、どちらが最初に発生したかに応じて選択することになる。タイプ２機会とタイプ３機会とが衝突する場合、ＵＥは同じく、ＥＣＣＡ／ＣＣＡなしにｅＰＲＡＣＨを送ることになる。
【０１３０】
[00141]ｅＰＲＡＣＨ手順では、メッセージ１は、呼設定、ハンドオーバ、無線リンク障害（ＲＬＦ）、アップリンクスケジューリング要求など、様々なＵＥステータスに対して使用され得る。したがって、メッセージ１は、一般に、ｅＰＲＡＣＨをトリガするＵＥステータスに応じて可変ペイロードサイズを有する。基地局側において、ＵＥからのメッセージはランダムアクセスプロセスにおいて受信されているので、基地局は、ｅＰＲＡＣＨ機会におけるメッセージ１を探索して受信された信号をブラインドで復号することを試行することになる。メッセージ１の潜在的可変サイズを考慮すると、基地局は、メッセージ１を適切に復号するために、可能なサイクリックシフトと可能なメッセージサイズの各々を使用してブラインド復号を実行する。この繰り返されるブラインド復号は、しばしば、基地局の処理タイムラインに影響を及ぼす。
【０１３１】
[00142]単一のアップリンクインターレースがｅＰＲＡＣＨに割り当てられることによって、ターゲットコーディングレートが１／３である場合、追加の５０のサイクリック冗長検査（ＣＲＣ）ビットが可能にされる。しかしながら、ペイロードサイズがその量を越えて増加するとき、エッジユーザは、基地局における過度のブラインド復号のため、性能低下を経験する場合がある。本開示の様々な態様は、メッセージ１に対して所定の数の固定サイズペイロードを定義することを提供する。固定サイズペイロードの所定の数がペイロードサイズの可能な総数より少ないとき、基地局に対して可能なブラインド復号の数は低減され得る。
【０１３２】
[00143]図１４は、本開示の一態様をインプリメントするために実行される例示的なブロックを示すブロック図である。ブロック１４００において、ＵＥ１１５などのＵＥは、ランダムアクセス手順をトリガするＵＥのステータスを決定する。様々なＵＥステータスは、上述のようにそのような手順をトリガし得る。たとえば、呼設定、ハンドオーバ、ＲＬＦ、アップリンクスケジューリング要求などは、ランダムアクセス手順を開始するためにＵＥをトリガする。
【０１３３】
[00144]ブロック１４０１において、ＵＥは、所定の数の固定ペイロードサイズから１つの固定ペイロードサイズを使用して第１のランダムアクセスメッセージ（たとえば、メッセージ１）を生成する。制限された所定の数の固定ペイロードサイズは、ｅＰＲＡＣＨメッセージ１に対して利用可能であるように定義される。ＵＥは、ｅＰＲＡＣＨ手順をトリガしている特定のＵＥステータスに基づいて利用可能なこれらの制限された数の所定の固定サイズのうちの１つを選択する。ブロック１４０２において、ＵＥは、選択された固定サイズペイロードを使用して第１のランダムアクセスメッセージを基地局に送信する。
【０１３４】
[00145]いくつかのメッセージ１ｓペイロードサイズがクラスタ化される場合、ペイロードサイズは、各それぞれのクラスタの最大のメッセージサイズにおいて固定され得る。たとえば、３、４、６および７バイトの利用可能なメッセージ１ペイロードサイズの総数の場合、本開示の様々な態様は、所定の数のペイロードサイズを４バイトおよび７バイトにおいて定義し得る。したがって、ｅＰＲＡＣＨをトリガする特定のＵＥステータスに依存する実際のコンテンツにかかわらず、第１のメッセージのペイロードサイズは、２つの所定の固定サイズのうちの１つとなる。実際のペイロードサイズが選択された固定サイズより小さい場合、ゼロパディングが残りの利用可能なペイロードを埋めるために追加される。たとえば、４バイトおよび７バイトの２つの所定のペイロードサイズが定義される態様では、３バイトのメッセージサイズは固定の４バイトサイズメッセージにゼロパディングされる一方で、６バイトのメッセージサイズは固定の７バイトサイズにゼロパディングされることになる。ターゲットコーディングレートが許容レベルにとどまる限り、所定の数の固定ペイロードサイズを提供することは、ＵＥステータスによって基地局側においてブラインド復号に関連するペイロードサイズを低減し得る。上記で提供した例によれば、ターゲットコーディングレートは７２／２００＝０．３６となり、これは許容可能であると見なされる。
【０１３５】
[00146]図１５は、本開示の一態様を示すために実行される例示的なブロックを示すブロック図である。ブロック１５００において、基地局１０５などの基地局は、次のスケジュールされたランダムアクセス機会を決定する。基地局は、スケジュールされたｅＰＲＡＣＨ機会の間、受信された信号を調べることを継続する。したがって、ブロック１５０１において、基地局は、所定の数の固定ペイロードサイズのうちの第１の固定ペイロードサイズを使用して次のスケジュールされたランダムアクセス機会の間、受信された信号をブラインドで復号する。この所定の数は、ｅＰＲＡＣＨメッセージ１に対して可能なペイロードサイズの総数より少ない。
【０１３６】
[00147]ブロック１５０２において、受信された信号が第１の選択された固定ペイロードサイズを使用して適切に復号されたかどうかについて、決定がなされる。適切に復号された場合、ブロック１５０７において、基地局はランダムアクセスメッセージ１を処理する。そうではなく、受信された信号が第１の選択された固定ペイロードサイズを使用して適切に復号されなかった場合、ブロック１５０３において、基地局は、所定のセットのうちの次の固定ペイロードサイズを選択する。ブロック１５０４において、基地局は、次の選択された固定ペイロードサイズを使用して受信された信号を復号することを試行する。ブロック１５０５において、基地局が、次の選択された固定ペイロードサイズを使用して受信された信号を適切に復号できたかどうかについて、決定がなされる。基地局が、選択された次の固定ペイロードサイズを使用して受信された信号をランダムアクセス信号に適切に復号できた場合、ブロック１５０８において、基地局は、ランダムアクセスメッセージを処理する。
【０１３７】
[00148]そうではなく、基地局は受信された信号を適切に復号できなかった場合、ブロック１５０６において、基地局は、所定の数のペイロードサイズの中に任意の追加の固定ペイロードサイズが存在するかどうかを決定し、ブロック１５０３における次の固定サイズの選択とブロック１５０４における復号の試みとをそれぞれ繰り返す。そうではなく、基地局に対して利用可能な固定ペイロードサイズがこれ以上はない場合、ブロック１５０７において、基地局はＲＡＣＨ処理を停止する。
【０１３８】
[00149]本開示の様々な追加の態様では、ランダムアクセスメッセージの実際のペイロードサイズが大きすぎて単一のアップリンクインターレースに収まらない機会が存在する場合がある。そのような状況では、ｅＰＲＡＣＨ手順は、依然として、固定ペイロードサイズの所定のセットを定義し得るが、ランダムアクセスメッセージが送信され得る２つ以上のインターレースをＵＥが選択することを可能にし得る。たとえば、４バイトの固定ペイロードサイズによって、ＵＥは、７ビットの総ペイロードを有するランダムアクセスメッセージを、各々が固定の４バイトペイロードサイズで構成される２つのアップリンクインターレースに分割することを選択し得、ＵＥは、３バイトまでのメッセージペイロードを１つのインターレースに入れ、４バイトのメッセージペイロードを他のインターレースに入れることができる。ゼロパディングが、メッセージの任意の残りの利用可能なサイズを埋めるために使用され得る。
【０１３９】
[00150]複数のインターレースの使用は、単一のインターレース内でより大きいペイロードサイズを送信するよりも、パワースペクトル密度（ＰＳＤ）要件と最大電力制限を満足させることにおいて、より好ましい結果をもたらし得る。加えて、複数のインターレースにわたってランダムアクセスメッセージを分割するとき、ＵＥは、基地局が複数の送信を単一のランダムアクセスメッセージに再統合し戻し得るように、断片化情報（fragmentation information）をメッセージに追加する。
【０１４０】
[00151]ｅＰＲＡＣＨに対して定義された手順は、ＰＲＡＣＨに対する手順とは異なる。たとえば、ｅＰＲＡＣＨに関わるプリアンブルはないが、ＰＲＡＣＨに伴うプリアンブルはある。しかしながら、ｅＰＲＡＣＨアップリンクインターレース、サイクリックシフト、異なるｅＰＲＡＣＨ機会、およびＥＣＣＡ／ＣＣＡ手順による潜在的により大きいＲＡＲウインドウサイズのため、ＲＡ−ＲＮＴＩを再定義することが有利であり得る。第１の例示的な態様では、ＲＡ−ＲＮＴＩは、ｆidおよびｔidの関数を決定され得るが、サイクリックシフトの数ＮCSの関数を決定されることはない。たとえば、ＲＡ−ＲＮＴＩは、以下の式
ＲＡ−ＲＮＴＩ＝１＋ｔid＋１０＊ｆid            （４）
に従って定義され得、
ここにおいて、ｔidはサブフレーム番号（たとえば、一般的に０と９との間の範囲内）を表し、ｆidはｅＰＲＡＣＨアップリンクインターレースインデックス（たとえば、一般的に、ＴＤＤインプリメンテーションに対して０と５との間の範囲内）を表す。
【０１４１】
[00152]図１６は、本開示の一態様をインプリメントするために実行される例示的なブロックを示すブロック図である。ブロック１６００において、基地局１０５などの基地局は、ＵＥ１１５など、１つまたは複数のＵＥからランダムアクセス信号を受信するために使用される時間周波数リソースに基づいて、ランダムアクセス一時識別子（たとえば、ＲＡ−ＲＮＴＩ）を決定する。ランダムアクセス一時識別子は、特定のＵＥがランダムアクセスメッセージ１を送信するために使用した時間周波数リソース（たとえば、ｔidおよびｆid）を使用して、ランダムアクセス手順のコンテキスト内で基地局によって決定される。
【０１４２】
[00153]ブロック１６０１において、基地局は、ＵＥの各々に対するアップリンク許可を含むランダムアクセス応答を生成する。ランダムアクセス応答は、ランダムアクセス一時識別子を使用してコーディングされる。ブロック１６０２において、基地局は、異なるＵＥに対する複数のアップリンク許可が単一のダウンリンク共有チャネル内に含まれることになる単一のダウンリンク共有チャネル内か、または別個のダウンリンク共有チャネルが特定のＵＥに対する対応するアップリンク許可とともに各ＵＥに送信されることになる複数の個別のダウンリンク共有チャネル内のいずれかで、アップリンク許可を有するランダムアクセス応答を送信することになる。述べたように、ダウンリンク共有チャネルは、ランダムアクセス一時識別子に少なくとも部分的に基づいてアドレス指定される。
【０１４３】
[00154]本開示の例示的な態様では、単一のＰＤＳＣＨは、同じリソースブロックの異なるサイクリックシフトに対応する複数のアップリンク許可を搬送し得る。異なるＵＥに対するアップリンク許可を搬送する単一のＰＤＳＣＨによって、ＰＲＡＣＨ内のプリアンブルがアップリンク許可へのマッピングを許可するのと同様に、ＰＤＳＣＨは、ＮCSから特定のアップリンク許可へのマッピングを含む。一般的なネットワーク構成による動作では、リソースブロック当たり高々１２個のＮCSが存在する。したがって、４ビットマッピングで十分であり、そこで、ｅＰＲＡＣＨが４０ｍｓの最大ＲＡＲウインドウを可能にするために、２ビットがＲＡＲ応答ＳＦＮに割り振られる。この構成は、基地局からのＰＲＡＣＨメッセージ２の現在のＰＲＡＣＨハンドリングと同様である。
【０１４４】
[00155]本開示の代替態様では、ブロック１６０２において述べたように、基地局は複数のＰＤＳＣＨを生成し得、各ＰＤＳＣＨは特定のＵＥに対する単一のアップリンク許可を搬送する。この代替態様は、ＮCSから特定のアップリンク許可にマッピングを行う必要性を軽減するが、多くのＰＤＳＣＨの生成および送信は、かなりの基地局リソースにコストをかけることになる。
【０１４５】
[00156]本開示のさらなる代替態様では、ＲＡ−ＲＮＴＩは、ＮCSの関数としてではなく、ｆidおよびｔidの関数として規定され得る。ＵＥは、ｅＰＲＡＣＨ信号を送信するために利用可能なもののプールからＮCSを選択する。基地局は、すべての可能なＮCS値を使用してｅＰＲＡＣＨに対するブラインド探索を実行する。基地局がｅＰＲＡＣＨを適切に復号すると、それは、適切な復号に使用されたＮCSをＭＡＣ制御要素内に含め、ＲＡＲを送信するために、受信されたｅＰＲＡＣＨの時間周波数リソースから示唆されたＲＡ−ＲＮＴＩを使用する。そのような代替態様は、さらに、ＲＡＲウインドウサイズに従うＲＡ−ＲＮＴＩを、下式
ＲＡ−ＲＮＴＩ＝１＋ｔid＋ＰＡＲＷｉｎｄｏｗＳｉｚｅ＊ｆid            （５）
に従って定義し得、
ここでｔidは、一般的に０とＲＡＲウインドウサイズ−１との間に及ぶＲＡＲウインドウ内の蓄積されたサブフレーム番号を表し、ｆidは、一般的に０と５との間に及ぶｅＰＲＡＣＨアップリンクインターレースインデックスを表す。例示的な一動作では、ＲＡＲウインドウサイズは４０ｍｓに設定され得る。そのような例示的な動作では、式（５）は、
ＲＡ−ＲＮＴＩ＝１＋ｔid＋４０＊ｆid            （５ａ）
となり、
ここでｔidは０と３９との間に及ぶ。ＵＥは、ＵＥがｅＰＲＡＣＨを送ったＲＡ−ＲＮＴＩを監視し続ける。ＲＡＲが同じＲＡ−ＲＮＴＩ上で検出された場合、ＵＥは、基地局がｅＰＲＡＣＨを受信したことを知る。
【０１４６】
[00157]さらなる代替態様では、ＲＡ−ＲＮＴＩは、ｆid、ｔidおよびＮCSの関数として定義され得、そこにおいて、ＮCSを伝達するためにＭＡＣ制御要素は不要である。この代替態様によれば、式（５）からＲＡ−ＲＮＴＩに対する式は、
ＲＡ−ＲＮＴＩ＝１＋ｔid＋ＰＡＲＷｉｎｄｏｗＳｉｚｅ＊（ＮCS＋ＮCSＲａｎｇｅ＊ｆid）            （６）
となる。
ｆid、ｔidおよびＮCSの各々はＲＡ−ＲＮＴＩを定義するのに使用されるので、ｅＰＲＡＣＨメッセージ１に対してＵＥによって使用されるリソースと、基地局からのメッセージ２をコーディングするのに使用される対応するＲＡ−ＲＮＴＩとの間に１対１のマッピングが存在することになる。ＲＡ−ＲＮＴＩを定義することにおけるＮCSの追加によって、ＲＡ−ＲＮＴＩは、増加した潜在的な値のセットを含むが、より柔軟な競合解消マネージメントの利益を伴うことになる。説明する本態様の例示的な動作では、ＲＡＲウインドウは１０ｍｓであり、１２のサイクリックシフトがあり、ＮCS＝１２である。この例示的な動作では、ＲＡ−ＲＮＴＩに対する式（６）は、
ＲＡ−ＲＮＴＩ＝１＋ｔid＋１０（ＮCS＋１２＊ｆid）            （６ａ）
となり、
ここでｔidは０と９との間に及び、ＮCSは０と１１との間に及び、ｆidは０と５との間に及ぶ。
【０１４７】
[00158]ｅＰＲＡＣＨ手順は、競合ベースの共有周波数スペクトルを含む通信ネットワーク内の動作に対して構成される。この周波数スペクトルは、ＷｉＦｉネットワークおよびデバイスと共有され得る。したがって、ＷｉＦｉデバイスはブラインドで検知することを要求されるときに増加する遅延と低減される性能を経験することがあり、本開示の様々な態様に起因する送信との衝突が検出されるときに共有チャネルをバックオフする。しかしながら、本開示の追加の態様は、隣接するＷｉＦｉデバイスがＷｉＦｉ通信を知的にスケジュールすることを可能にするために、送信持続時間情報をそのようなＷｉＦｉデバイスに提供するように構成される。
【０１４８】
[00159]図１７は、本開示の一態様をインプリメントするために実行される例示的なブロックを示すブロック図である。ブロック１７００において、ＵＥ１１５などのＵＥは、検出されたＬＢＴフレームの第１のアップリンクサブフレーム内のスケジュールされたランダムアクセス機会、またはＬＢＴフレームが検出されなかったときに発生するランダムアクセス機会のいずれかの間にランダムアクセス信号を送る前に成功したＣＣＡ検査を検出する。ブロック１７０１において、ＵＥは、１つのアップリンクサブフレームのランダムアクセス信号の推定された持続時間を示す持続時間インジケータを含む広帯域チャネル予約信号を生成する。
【０１４９】
[00160]図示のように、ＬＢＴフレームの間にスケジュールされたタイプ１ ｅＰＲＡＣＨ機会に対する持続時間識別子は、タイプ１ ｅＰＲＡＣＨ機会がＬＢＴフレームの第１のアップリンクサブフレーム内に存在するとき、１つのアップリンクサブフレームに基づく。ｅＰＲＡＣＨ手順は呼設定、ハンドオーバ、ＲＬＦなどに対してトリガされるので、他のダウンリンク許可またはアップリンク許可は存在すべきではない。したがって、同じく、対応するｅＰＵＣＣＨ／ｅＰＵＳＣＨも存在すべきではない。ＬＢＴフレームの検出を伴わないタイプ２ ｅＰＲＡＣＨ機会に対する持続時間は、ｅＰＲＡＣＨ機会が位置する特定のサブフレームにかかわらず、１つのアップリンクサブフレームに基づくことになる。
【０１５０】
[00161]情報および信号は、多種多様な技術および技法のうちのいずれかを使用して表され得ることを、当業者は理解されよう。たとえば、上記の説明全体にわたって参照され得るデータ、命令、コマンド、情報、信号、ビット、シンボル、およびチップは、電圧、電流、電磁波、磁場もしくは磁性粒子、光場もしくは光粒子、またはそれらの任意の組合せによって表現され得る。
【０１５１】
[00162]図７、図９および図１２〜図１７中の機能ブロックおよびモジュールは、プロセッサ、電子デバイス、ハードウェアデバイス、電子構成要素、論理回路、メモリ、ソフトウェアコード、ファームウェアコードなど、またはそれらの任意の組合せを備え得る。
【０１５２】
[00163]さらに、本明細書の開示に関して説明された様々な例示的な論理ブロック、モジュール、回路、およびアルゴリズムステップは、電子ハードウェア、コンピュータソフトウェア、または両方の組合せとしてインプリメントされ得ることを、当業者は諒解されよう。ハードウェアとソフトウェアのこの互換性を明確に示すために、様々な例示的な構成要素、ブロック、モジュール、回路、およびステップが、上では概してそれらの機能に関して説明された。そのような機能がハードウェアとしてインプリメントされるか、ソフトウェアとしてインプリメントされるかは、特定の適用例および全体的なシステムに課された設計制約に依存する。当業者は、説明された機能を特定の適用例ごとに様々な方法でインプリメントし得るが、そのようなインプリメンテーションの決定は、本開示の範囲からの逸脱を生じるものと解釈されるべきではない。当業者はまた、本明細書で説明された構成要素、方法、または相互作用の順序あるいは組合せは例にすぎないこと、および本開示の様々な態様の構成要素、方法、または相互作用は、本明細書で例示し、説明されたもの以外の方法で組み合わせられるかまたは実行され得ることを容易に認識されよう。
【０１５３】
[00164]本明細書の開示に関して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明された機能を実行するように設計されたそれらの任意の組合せを用いてインプリメントまたは実行され得る。汎用プロセッサはマイクロプロセッサであり得るが、代替として、プロセッサは、任意の従来のプロセッサ、コントローラ、マイクロコントローラ、またはステートマシンであり得る。プロセッサは、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成としてインプリメントされることもある。
【０１５４】
[00165]本明細書の開示に関して説明した方法またはアルゴリズムのステップは、直接ハードウェアで具現化されるか、プロセッサによって実行されるソフトウェアモジュールで具現化されるか、またはその２つの組合せで具現化され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に存在し得る。例示的な記憶媒体は、プロセッサが記憶媒体から情報を読み取り、および記憶媒体に情報を書き込むことができるように、プロセッサに結合される。代替的に、記憶媒体はプロセッサと一体化され得る。プロセッサおよび記憶媒体は、ＡＳＩＣ中に存在し得る。ＡＳＩＣは、ユーザ端末中に存在し得る。あるいは、プロセッサおよび記憶媒体は、ユーザ端末内のディスクリートな構成要素として存在し得る。
【０１５５】
[00166]１つまたは複数の例示的な設計では、説明した機能は、ハードウェア、ソフトウェア、ファームウェア、またはそれらの任意の組合せでインプリメントされ得る。ソフトウェアでインプリメントされる場合、機能は、１つもしくは複数の命令もしくはコードとしてコンピュータ可読媒体上に記憶されるか、またはコンピュータ可読媒体を介して送信され得る。コンピュータ可読媒体は、コンピュータプログラムのある場所から別の場所への転送を容易にする任意の媒体を含む、コンピュータ記憶媒体と通信媒体の両方を含む。コンピュータ可読記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気記憶デバイス、あるいは命令またはデータ構造の形態の所望のプログラムコード手段を搬送または格納するために使用され得、汎用もしくは専用コンピュータ、または汎用もしくは専用プロセッサによってアクセスされ得る任意の他の媒体を備え得る。また、接続はコンピュータ可読媒体と適切に呼ばれ得る。たとえば、ソフトウェアが、同軸ケーブル、光ファイバーケーブル、ツイストペア、またはデジタル加入者線（ＤＳＬ）を使用して、ウェブサイト、サーバ、またはその他のリモートソースから送信される場合、同軸ケーブル、光ファイバーケーブル、ツイストペア、またはＤＳＬは、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は通常、データを磁気的に再生し、ディスク（disc）は、データをレーザーで光学的に再生する。上記の組合せもコンピュータ可読媒体の範囲に含まれるべきである。
【０１５６】
[00167]特許請求の範囲を含めて、本明細書で使用する場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。たとえば、組成が構成要素Ａ、Ｂ、および／またはＣを含むものとして説明される場合、その組成は、Ａのみ、Ｂのみ、Ｃのみ、ＡとＢの組合せ、ＡとＣの組合せ、ＢとＣの組合せ、またはＡとＢとＣの組合せを含むことができる。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）あるいは任意のこれらの組合せにおけるこれらのうちのいずれかを意味するような選言的列挙を示す。
【０１５７】
[00168]本開示についての以上の説明は、いかなる当業者も本開示を作成または使用することができるように与えられたものである。本開示への様々な修正は当業者には容易に明らかになり、本明細書で定義された一般原理は、本開示の趣旨または範囲から逸脱することなく他の変形形態に適用され得る。したがって、本開示は、本明細書で説明した例および設計に限定されることを意図されたものではなく、本明細書で開示する原理および新規の特徴に合致する最も広い範囲を与えられるべきである。
以下に本願発明の当初の特許請求の範囲に記載された発明を付記する。
［Ｃ１］
ワイヤレス通信の方法であって、
ダウンリンクアクティビティ信号を監視することと、
ダウンリンクアクティビティ信号を検出しなかったことに応答して次のランダムアクセス機会を決定することと、
前記次のランダムアクセス機会の前に成功したクリアチャネルアセスメント（ＣＣＡ）を検出することと、
前記成功したクリアチャネルアセスメントに応答して前記次のランダムアクセス機会においてランダムアクセス信号を送信することと、
を備える、方法。
［Ｃ２］
前記次のランダムアクセス機会がサブフレームｎにおいて発生し、サブフレームｎ−Ｍとｎ−Ｎとの間に前記ダウンリンクアクティビティ信号が検出されず、Ｍが（Ｎ＋１）≦Ｍ≦（リッスンビフォアトーク（ＬＢＴ）フレーム長さ＋Ｎ）の関係を満足し、Ｎが前記次のランダムアクセス機会の前に前記ダウンリンクアクティビティ信号がないと決定するためのサブフレームの最小数であり、
前記成功したＣＣＡが、サブフレームｎに対するランダムアクセス再同期境界の上または前で検出される、Ｃ１に記載の方法。
［Ｃ３］
前記ランダムアクセス再同期境界がサブフレームｎ−１と保証されたチャネル予約信号境界との間に発生し、前記保証されたチャネル予約信号境界が、次のアップリンクサブフレーム上のアップリンク送信の前に送信される１つまたは複数のチャネル予約信号の最小持続時間を含む、Ｃ２に記載の方法。
［Ｃ４］
サブフレームｎ−１において前記成功したＣＣＡを検出することに失敗したことに応答して、構成されたウインドウの中の後続のサブフレームｎ＋１において前記ランダムアクセス信号を送信することをさらに含む、Ｃ２に記載の方法。
［Ｃ５］
サブフレームｎ−２においてダウンリンクアクティビティ信号を検出したことに応答して、前記次のランダムアクセス機会の後の後続のランダムアクセス機会において前記ランダムアクセス信号を送信することをさらに含む、Ｃ２に記載の方法。
［Ｃ６］
ダウンリンクアクティビティ信号を前記監視することが、サブフレームｎ−Ｍとｎ−３との間に実行され、Ｍが関係４≦Ｍ≦１０を満足し、前記次のランダムアクセス機会がサブフレームｎにおいて発生し、
前記成功したＣＣＡがサブフレームｎに対するランダムアクセス再同期境界の上または前で検出され、前記ランダムアクセス再同期境界がサブフレームｎ−２と保証されたチャネル予約信号境界との間に発生し、前記保証されたチャネル予約信号境界が、次のアップリンクサブフレーム上のアップリンク送信の前に送信される１つまたは複数のチャネル予約信号の最小持続時間を含む、Ｃ１に記載の方法。
［Ｃ７］
前記ダウンリンクアクティビティ信号が、
フレームフォーマットインジケータと、
ダウンリンクチャネル予約信号と、
のうちの１つまたは複数を含む、Ｃ１に記載の方法。
［Ｃ８］
ワイヤレス通信用に構成された装置であって、
ダウンリンクアクティビティ信号を監視するための手段と、
ダウンリンクアクティビティ信号を検出しなかったことに応答して次のランダムアクセス機会を決定するための手段と、
前記次のランダムアクセス機会の前に成功したクリアチャネルアセスメント（ＣＣＡ）を検出するための手段と、
前記成功したクリアチャネルアセスメントに応答して前記次のランダムアクセス機会においてランダムアクセス信号を送信するための手段と、
を備える、装置。
［Ｃ９］
前記次のランダムアクセス機会がサブフレームｎにおいて発生し、サブフレームｎ−Ｍとｎ−Ｎとの間に前記ダウンリンクアクティビティ信号が検出されず、Ｍが（Ｎ＋１）≦Ｍ≦（リッスンビフォアトーク（ＬＢＴ）フレーム長さ＋Ｎ）の関係を満足し、Ｎが前記次のランダムアクセス機会の前に前記ダウンリンクアクティビティ信号がないと決定するためのサブフレームの最小数であり、
前記成功したＣＣＡが、サブフレームｎに対するランダムアクセス再同期境界の上または前で検出される、Ｃ８に記載の装置。
［Ｃ１０］
サブフレームｎ−１において前記成功したＣＣＡを検出することに失敗したことに応答して、構成されたウインドウの中の後続のサブフレームｎ＋１において前記ランダムアクセス信号を送信するための手段をさらに含む、Ｃ９に記載の装置。
［Ｃ１１］
前記ランダムアクセス再同期境界がサブフレームｎ−１と保証されたチャネル予約信号境界との間に発生し、前記保証されたチャネル予約信号境界が、次のアップリンクサブフレーム上のアップリンク送信の前に送信される１つまたは複数のチャネル予約信号の最小持続時間を含む、Ｃ９に記載の装置。
［Ｃ１２］
サブフレームｎ−２においてダウンリンクアクティビティ信号を検出したことに応答して、前記次のランダムアクセス機会の後の後続のランダムアクセス機会において前記ランダムアクセス信号を送信するための手段をさらに含む、Ｃ９に記載の装置。
［Ｃ１３］
ダウンリンクアクティビティ信号を監視するための前記手段が、サブフレームｎ−Ｍとｎ−３との間に実行され、Ｍが関係４≦Ｍ≦１０を満足し、前記次のランダムアクセス機会がサブフレームｎにおいて発生し、
前記成功したＣＣＡがサブフレームｎに対するランダムアクセス再同期境界の上または前で検出され、前記ランダムアクセス再同期境界がサブフレームｎ−２と保証されたチャネル予約信号境界との間に発生し、前記保証されたチャネル予約信号境界が、次のアップリンクサブフレーム上のアップリンク送信の前に送信される１つまたは複数のチャネル予約信号の最小持続時間を含む、Ｃ８に記載の装置。
［Ｃ１４］
前記ダウンリンクアクティビティ信号が、
フレームフォーマットインジケータと、
ダウンリンクチャネル予約信号と、
のうちの１つまたは複数を含む、Ｃ８に記載の装置。
［Ｃ１５］
プログラムコードを記録した非一時的コンピュータ可読媒体であって、
コンピュータに、ダウンリンクアクティビティ信号を監視させるためのプログラムコードと、
前記コンピュータに、ダウンリンクアクティビティ信号を検出しなかったことに応答して次のランダムアクセス機会を決定させるためのプログラムコードと、
前記コンピュータに、前記次のランダムアクセス機会の前に成功したクリアチャネルアセスメント（ＣＣＡ）を検出させるためのプログラムコードと、
前記コンピュータに、前記成功したクリアチャネルアセスメントに応答して前記次のランダムアクセス機会においてランダムアクセス信号を送信させるためのプログラムコードと、
を備える、非一時的コンピュータ可読媒体。
［Ｃ１６］
前記次のランダムアクセス機会がサブフレームｎにおいて発生し、サブフレームｎ−Ｍとｎ−Ｎとの間に前記ダウンリンクアクティビティ信号が検出されず、Ｍが（Ｎ＋１）≦Ｍ≦（リッスンビフォアトーク（ＬＢＴ）フレーム長さ＋Ｎ）の関係を満足し、Ｎが前記次のランダムアクセス機会の前に前記ダウンリンクアクティビティ信号がないと決定するためのサブフレームの最小数であり、
前記成功したＣＣＡが、サブフレームｎに対するランダムアクセス再同期境界の上または前で検出される、Ｃ１５に記載の非一時的コンピュータ可読媒体。
［Ｃ１７］
前記ランダムアクセス再同期境界がサブフレームｎ−１と保証されたチャネル予約信号境界との間に発生し、前記保証されたチャネル予約信号境界が、次のアップリンクサブフレーム上のアップリンク送信の前に送信される１つまたは複数のチャネル予約信号の最小持続時間を含む、Ｃ１６に記載の非一時的コンピュータ可読媒体。
［Ｃ１８］
前記コンピュータに、サブフレームｎ−１において前記成功したＣＣＡを検出することに失敗したことに応答して、構成されたウインドウの中の後続のサブフレームｎ＋１において前記ランダムアクセス信号を送信させるためのプログラムコードをさらに含む、Ｃ１６に記載の非一時的コンピュータ可読媒体。
［Ｃ１９］
前記コンピュータに、サブフレームｎ−２においてダウンリンクアクティビティ信号を検出したことに応答して、前記次のランダムアクセス機会の後の後続のランダムアクセス機会において前記ランダムアクセス信号を送信させるためのプログラムコードをさらに含む、Ｃ１６に記載の非一時的コンピュータ可読媒体。
［Ｃ２０］
ダウンリンクアクティビティ信号を前記コンピュータに監視させるための前記プログラムコードが、サブフレームｎ−Ｍとｎ−３との間に実行され、Ｍが関係４≦Ｍ≦１０を満足し、前記次のランダムアクセス機会がサブフレームｎにおいて発生し、
前記成功したＣＣＡがサブフレームｎに対するランダムアクセス再同期境界の上または前で検出され、前記ランダムアクセス再同期境界がサブフレームｎ−２と保証されたチャネル予約信号境界との間に発生し、前記保証されたチャネル予約信号境界が、次のアップリンクサブフレーム上のアップリンク送信の前に送信される１つまたは複数のチャネル予約信号の最小持続時間を含む、Ｃ１５に記載の非一時的コンピュータ可読媒体。
［Ｃ２１］
前記ダウンリンクアクティビティ信号が、
フレームフォーマットインジケータと、
ダウンリンクチャネル予約信号と、
のうちの１つまたは複数を含む、Ｃ１５に記載の非一時的コンピュータ可読媒体。
［Ｃ２２］
ワイヤレス通信用に構成された装置であって、前記装置が、
少なくとも１つのプロセッサと、
前記少なくとも１つのプロセッサに結合されたメモリと、
を備え、
前記少なくとも１つのプロセッサが、
ダウンリンクアクティビティ信号を監視することと、
ダウンリンクアクティビティ信号を検出しなかったことに応答して次のランダムアクセス機会を決定することと、
前記次のランダムアクセス機会の前に成功したクリアチャネルアセスメント（ＣＣＡ）を検出することと、
前記成功したクリアチャネルアセスメントに応答して前記次のランダムアクセス機会においてランダムアクセス信号を送信することと、
を行うように構成される、装置。
［Ｃ２３］
前記次のランダムアクセス機会がサブフレームｎにおいて発生し、サブフレームｎ−Ｍとｎ−Ｎとの間に前記ダウンリンクアクティビティ信号が検出されず、Ｍが（Ｎ＋１）≦Ｍ≦（リッスンビフォアトーク（ＬＢＴ）フレーム長さ＋Ｎ）の関係を満足し、Ｎが前記次のランダムアクセス機会の前に前記ダウンリンクアクティビティ信号がないと決定するためのサブフレームの最小数であり、
前記成功したＣＣＡが、サブフレームｎに対するランダムアクセス再同期境界の上または前で検出される、Ｃ２２に記載の装置。
［Ｃ２４］
前記ランダムアクセス再同期境界がサブフレームｎ−１と保証されたチャネル予約信号境界との間に発生し、前記保証されたチャネル予約信号境界が、次のアップリンクサブフレーム上のアップリンク送信の前に送信される１つまたは複数のチャネル予約信号の最小持続時間を含む、Ｃ２３に記載の装置。
［Ｃ２５］
サブフレームｎ−１において前記成功したＣＣＡを検出することに失敗したことに応答して、構成されたウインドウの中の後続のサブフレームｎ＋１において前記ランダムアクセス信号を送信するための、前記少なくとも１つのプロセッサの構成をさらに含む、Ｃ２３に記載の装置。
［Ｃ２６］
サブフレームｎ−２においてダウンリンクアクティビティ信号を検出したことに応答して、前記次のランダムアクセス機会の後の後続のランダムアクセス機会において前記ランダムアクセス信号を送信するための、前記少なくとも１つのプロセッサの構成をさらに含む、Ｃ２３に記載の装置。
［Ｃ２７］
ダウンリンクアクティビティ信号を監視するための、前記少なくとも１つのプロセッサの前記構成が、サブフレームｎ−Ｍとｎ−３との間に実行され、Ｍが関係４≦Ｍ≦１０を満足し、前記次のランダムアクセス機会がサブフレームｎにおいて発生し、
前記成功したＣＣＡがサブフレームｎに対するランダムアクセス再同期境界の上または前で検出され、前記ランダムアクセス再同期境界がサブフレームｎ−２と保証されたチャネル予約信号境界との間に発生し、前記保証されたチャネル予約信号境界が、次のアップリンクサブフレーム上のアップリンク送信の前に送信される１つまたは複数のチャネル予約信号の最小持続時間を含む、Ｃ２２に記載の装置。
［Ｃ２８］
前記ダウンリンクアクティビティ信号が、
フレームフォーマットインジケータと、
ダウンリンクチャネル予約信号と、
のうちの１つまたは複数を含む、Ｃ２２に記載の装置。
【図１】
0006749927.tif 000002
【図２Ａ】
0006749927.tif 000003
【図２Ｂ】
0006749927.tif 000004
【図３】
0006749927.tif 000005
【図４】
0006749927.tif 000006
【図５】
0006749927.tif 000007
【図６】
0006749927.tif 000008
【図７】
0006749927.tif 000009
【図８】
0006749927.tif 000010
【図９】
0006749927.tif 000011
【図１０】
0006749927.tif 000012
【図１１】
0006749927.tif 000013
【図１２】
0006749927.tif 000014
【図１３】
0006749927.tif 000015
【図１４】
0006749927.tif 000016
【図１５】
0006749927.tif 000017
【図１６】
0006749927.tif 000018
【図１７】
0006749927.tif 000019